(57)【要約】【課題】大口径化され諸収差が良好に補正された６枚構成以上の小型の撮像レンズを提供すること。【解決手段】この撮像レンズ１０は、値Ｄｎを主負レンズ（第２レンズＬ２）の像側面Ｓ２２から撮像面Ｉまでの距離とし、値ｓ１を物体側の遮光絞りＦＳに設けられた第１開口の開口径とし、値ｓ２を像側の遮光絞りＦＳに設けられた第２開口の開口径として、  １．５＜Ｄｎ／ｓ１＜２．３      …      （１）  ｓ１≧ｓ２      …      （２）を満足するものとなっている。【選択図】図１
2015072405.tif 000002
【特許請求の範囲】
【請求項１】
６枚から８枚までのレンズからなり、
最も像側に配置されたレンズの像側面は非球面で中心以外の有効径内に極値を有し、
最も物体側から連続して配置される第１レンズ、第２レンズ及び第３レンズは、少なくとも１枚の正レンズと少なくとも１枚の負レンズとを含み、
前記第１、第２及び第３レンズのうち、最もパワーの大きい正レンズを主正レンズとし、最もパワーの大きい負レンズを主負レンズとし、
前記第１レンズの物体側には所定の第１開口を持った第１絞り部材が配置され、
前記主負レンズと隣接するレンズとの間には所定の第２開口を持った第２絞り部材が配置され、
下記の条件式を満たす、撮像レンズ。
１．５＜Ｄｎ／ｓ１＜２．３      …      （１）
ｓ１≧ｓ２      …      （２）
Ｄｎ：前記主負レンズの像側面から撮像面までの距離
ｓ１：前記第１絞り部材の開口径
ｓ２：前記第２絞り部材の開口径で、第２絞り部材とみなせる絞り部材が複数ある場合最も小さい開口径
【請求項２】
最も像側のレンズは、負レンズである、請求項１に記載の撮像レンズ。
【請求項３】
前記第４レンズよりも物体側に開口絞りを有する、請求項２に記載の撮像レンズ。
【請求項４】
下記の条件式を満たす、請求項１〜３のいずれか一項に記載の撮像レンズ。
１．０≦Φｍａｘ／ＥＰＤ＜１．２５      …      （３）
Φｍａｘ：前記第１レンズから前記第３レンズまでのうち、最も有効径が大きいレンズの有効径
ＥＰＤ：入射瞳直径
【請求項５】
下記の条件式を満たす、請求項１〜４のいずれか一項に記載の撮像レンズ。
０．７０＜ｓ２／ｓ１≦１．０      …      （４）
【請求項６】
前記主負レンズの像側面は、凹面であり、全系の中で有効径が最も小さい面である、請求項１〜５のいずれか一項に記載の撮像レンズ。
【請求項７】
下記の条件式を満たす、請求項１〜６のいずれか一項に記載の撮像レンズ。
１．０＜ｆ１２３／ｆ＜４．０      …      （５）
ｆ１２３：前記第１レンズから前記第３レンズまでの合成焦点距離
ｆ：全系の焦点距離
【請求項８】
前記主負レンズの像側に連続して配置される３枚のレンズが、下記の条件式をそれぞれ満たす、請求項１〜７のいずれか一項に記載の撮像レンズ。
０．０１＜ＳＡＧ＿Ａ／ΦＡ＜０．２０      …      （６）
ＳＡＧ＿Ａ：物体側面の有効径内のサグ量
ΦＡ：物体側面の有効径
【請求項９】
前記主負レンズは、前記主正レンズの直後の像側に配置されている、請求項１〜８のいずれか一項に記載の撮像レンズ。
【請求項１０】
実質的にパワーを持たない光学素子をさらに有する、請求項１〜９のいずれか一項に記載の撮像レンズ。
【請求項１１】
請求項１〜１０のいずれか一項に記載の撮像レンズと、前記撮像素子とを備える、撮像装置。
【請求項１２】
請求項１１に記載の撮像装置を備える、携帯端末。
【発明の詳細な説明】
【技術分野】
【０００１】
本発明は、小型の撮像レンズ、並びにこれを組み込んだ撮像装置及び携帯端末に関し、特に６枚以上のレンズを有する低背に好適な撮像レンズ、撮像装置、及び携帯端末に関する。
【背景技術】
【０００２】
近年、ＣＣＤ（Charge Coupled Device）型イメージセンサーあるいはＣＭＯＳ（Complementary Metal Oxide Semiconductor）型イメージセンサー等の固体撮像素子を用いた撮像素子の高性能化及び小型化に伴い、撮像装置を備えた携帯電話や携帯情報端末が普及しつつある。さらに最近では、上記のような携帯情報端末等に搭載される表示素子の大型化・高精細化を受け、撮像素子も高画素化が求められており、これらの携帯情報端末等に搭載される撮像レンズに対しては、さらなる高性能化への要求が高まっている。このような用途の撮像レンズとして、５枚構成の撮像レンズが提案されている。最近では、さらなる高性能化を目指し５枚レンズに比べ収差補正能力の優れた６枚や７枚構成のレンズも提案されている（例えば特許文献１、２等参照）。
【０００３】
撮像素子に対する高画素化の要求の一方で、撮像装置の小型化の要求も強く、撮像素子については、高画素化と小型化とを両立するために、画素サイズの小型化が進んでいる。撮像素子の画素サイズが小さくなると、その分１画素当たりで受光できる光量が減少するため、Ｓ／Ｎ比が小さくなることによるノイズや、露光時間が長くなるため発生する手振れによる画像劣化が問題となる。この１画素当たりで受光できる光量の減少に起因する問題の対策のため、より明るいレンズが求められており、最近ではＦ１．９以下の大口径のレンズが求められている。一方で、大口径化は、受光光量の増加には寄与するが、球面収差やコマ収差などの単色収差の発生に繋がり、光学性能を劣化させてしまう。上記特許文献１、２に記載のレンズは、共にＦ２．０以上の暗い撮像レンズしか記載されておらず、球面収差やコマ収差は問題となっていない。上記特許文献１、２等に記載の撮像レンズを大口径化することを考えると、球面収差をレンズのパワー配置の調整に依って補正したとしても、コマ収差を同時に補正することは難しく、高性能化を妨げる要因となると考えられる。
【先行技術文献】
【特許文献】
【０００４】
【特許文献１】中国実用新案公告第２０２８８６７２０号明細書
【特許文献２】中国実用新案公告第２０２８８６７１３号明細書
【発明の概要】
【０００５】
本発明は、このような問題点に鑑みてなされたものであり、従来タイプと同程度の小型の撮像レンズとしつつも、大口径化された上で、諸収差が良好に補正された、６枚構成以上の撮像レンズを提供することを目的とする。ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．００      …      （７）
ただし、
Ｌ：撮像レンズ全系の最も物体側のレンズ面から像側焦点までの光軸上の距離
２Ｙ：撮像素子の撮像面対角線長（撮像素子の矩形実効画素領域の対角線長）
ここで、像側焦点とは、撮像レンズに光軸と平行な平行光線が入射した場合の像点をいう。なお、撮像レンズの最も像側の面と像側焦点位置との間に、光学的ローパスフィルター、赤外線カットフィルター、又は撮像素子パッケージのシールガラス等の平行平板が配置される場合には、平行平板部分は空気換算距離としたうえで上記Ｌの値を計算するものとする。
【０００６】
値Ｌ／２Ｙについては、より望ましくは、下式の範囲がよい。
Ｌ／２Ｙ＜０．９５      …      （７）'
【０００７】
上記目的を達成するため、本発明に係る撮像レンズは、６枚から８枚までのレンズからなり、最も像側に配置されたレンズの像側面は非球面で中心以外の有効径内に極値を有し、最も物体側から連続して配置される第１レンズ、第２レンズ及び第３レンズは、少なくとも１枚の正レンズと少なくとも１枚の負レンズとを含み、第１、第２及び第３レンズのうち、最もパワー（絶対値）の大きい正レンズを主正レンズとし、最もパワー（絶対値）の大きい負レンズを主負レンズとし、第１レンズの物体側には所定の第１開口を持った第１絞り部材が配置され、主負レンズと隣接するレンズとの間には所定の第２開口を持った第２絞り部材が配置され、下記の条件式を満たす。
１．５＜Ｄｎ／ｓ１＜２．３      …      （１）
ｓ１≧ｓ２      …      （２）
Ｄｎ：主負レンズの像側面から撮像面までの距離（ただし、平行平板がある場合、平行平板の部分は空気換算長とする）
ｓ１：第１絞り部材の開口径
ｓ２：第２絞り部材の開口径で、第２絞り部材とみなせる絞り部材が複数ある場合最も小さい開口径
なお、以上において、パワーとは、レンズに対し平行光線を入射させた時に、光軸に近付く方向に屈折する場合を正のパワーを持つとし、光軸から遠ざかる方向に屈折する場合を負のパワーを持つとする。また、有効径とは、最大像高へ到達する光線束のうち、最も光軸から離れた位置を通過する光線の通過高さのことを示す。極値とは、有効半径内でのレンズ断面形状の曲線において、非球面頂点の接平面又は接線が光軸と垂直な平面又は線分となるような非球面上の点のことである。
条件式（１）の値については、より望ましくは、下式の範囲がよい。
１．６＜Ｄｎ／ｓ１＜２．２      …      （１）'
【０００８】
本発明に係る撮像レンズでは、６枚から８枚までのレンズからなることで、Ｆ１．９以下となるような明るいレンズとしても良好に収差補正をしつつ、低背化を達成することができる。また、物体側に近い第１〜第３レンズのうち少なくとも１枚のレンズを正レンズとすることで、物体側に近い位置に正レンズを配置することになるため、全系の主点位置が物体側に寄り、光学全長の短縮に有利になる。また、第１〜第３レンズの少なくとも１枚のレンズを負レンズとすることで、軸上光束径の太い位置に負レンズを配置することができるため、軸上色収差や球面収差の補正に有利になる。さらに、最も像側に配置されたレンズの像側面を有効径内で中心以外に極値を持った非球面とすることで、周辺像高の光線が像面へ入射する際の入射角を小さく抑えることが可能になるため、撮像素子を用いた場合のセンサーの受光効率を向上させることができる。
【０００９】
条件式（１）は、第１〜第３レンズのいずれかである主負レンズの像側面から像面までの距離Ｄｎと、第１レンズの物体側に配置された第１絞り部材の第１開口の開口径ｓ１との比を表わしている。主負レンズが像面から遠ざかり過ぎると、光学全長の短縮の妨げとなる。また、主負レンズが像面に近付き過ぎると、光束の細い位置に負レンズが配置されることになり、球面収差及びコマ収差の補正に不利になる。さらに、第１絞り部材の第１開口の開口径ｓ１が大き過ぎると、周辺像高へ結像する光束のうち、入射瞳の端付近を通過するコマ収差になりやすい光線を遮断することができず、コマ収差の補正に不利になる。一方、第１開口の開口径ｓ１が小さ過ぎると、撮像レンズの大口径化を妨げることになる。
すなわち、条件式（１）の下限を上回ることで、主負レンズが像面に近付き過ぎたり、第１遮絞り部材の第１開口の開口径ｓ１が大きくなり過ぎたりすることを防げるため、球面収差やコマ収差の補正を良好にできる。一方、条件式（１）の上限を下回ることで、主負レンズが像面から遠ざかり過ぎたり、第１絞り部材の第１開口の開口径ｓ１が小さくなり過ぎたりすることを防げるため、光学全長を短縮しつつ大口径化することが可能になる。
【００１０】
さらに、条件式（２）を満たすことにより、主負レンズの物体側又は像側に配置される第２絞り部材の開口径ｓ２が第１レンズの物体側に配置される第１絞り部材の開口径ｓ１よりも小さくなり、周辺像高に結像する光束のうち、入射瞳の端付近を通過する光線を遮光することになるため、コマ収差を改善することができ、高性能化が可能になる。
【００１１】
本発明の具体的な側面によれば、上記撮像レンズにおいて、最も像側のレンズは、負レンズである。つまり、物体側からの順で、第１〜第７レンズからなる場合、第７レンズが負レンズである。第１〜第６レンズからなる場合、第６レンズが負レンズである。
最終レンズを負レンズとすることで、最終レンズから像面を遠ざけることになるため、必要なバックフォーカスを確保することができる。例えばオートフォーカスタイプの撮像装置においては、レンズとセンサーとの距離を変動させる機構が付与されるため、レンズとセンサーとの距離はある程度大きいことが求められ、上記のようにバックフォーカスを確保することが重要になる。
【００１２】
本発明の別の側面では、第４レンズよりも物体側に開口絞りを有する。このように開口絞りを配置することで、射出瞳位置を像面から遠ざけることができるため、像面への光線の入射角を小さく抑えることができる。
【００１３】
本発明のさらに別の側面では、下記の条件式を満たす。
１．０≦Φｍａｘ／ＥＰＤ＜１．２５      …      （３）
Φｍａｘ：第１レンズから第３レンズまでのうち、最も有効径が大きいレンズの有効径
ＥＰＤ：入射瞳直径
条件式（３）の値については、より望ましくは、下式の範囲がよい。
１．０≦Φｍａｘ／ＥＰＤ＜１．１      …      （３）'
【００１４】
条件式（３）は、第１〜第３レンズの有効径のうち、最も大きい有効径Φｍａｘと、入射瞳径ＥＰＤとの比を表わしている。最も物体側に配置される３枚のレンズは、光束径の太い位置に配置されるため、球面収差やコマ収差への寄与が大きい。有効径Φｍａｘが入射瞳に対して大きくなると、最大の有効径Φｍａｘとなるレンズ内で有効径に対し相対的に光束径が細くなってしまうため、球面収差やコマ収差への寄与が小さくなり、負レンズであれば最適な収差補正ができなくなってしまい、正レンズであれば収差の発生を小さく抑えることができない。言い換えるならば、条件式（３）の上限を下回ることで、球面収差とコマ収差との両方を良好に補正することができるようになる。また、第１レンズの有効径は入射瞳よりも小さくなることはないため、条件式（３）の下限を下回ることはない。
【００１５】
本発明のさらに別の側面では、下記の条件式を満たす。
０．７０＜ｓ２／ｓ１≦１．０      …      （４）
条件式（４）の値については、より望ましくは、下式の範囲がよい。
０．７３＜ｓ２／ｓ１≦０．９０      …      （４）'
【００１６】
条件式（４）は、第１レンズの物体側に配置された第１絞り部材の第１開口の開口径ｓ１に対する、主負レンズの像側又は物体側に配置された第２遮光絞りの第２開口の開口径ｓ２の比を表わしている。周辺像高に結像する光束が入射瞳の全域を通過するようにレンズ間に配置するすべての絞り部材の開口径を決定すると、大口径化する際に顕著に発生するコマ収差がそのまま残存してしまうため、高性能化が難しくなってしまう。一方、周辺像高に結像する光束は、特に本発明に記載の撮像レンズのような低背レンズにおいては、光軸に対し大きな角度を持ってレンズ中を通過するため、入射瞳の端付近を通過する光線は、像面に近付くにしたがって光軸から離れる。従って、第１レンズの物体側の絞り部材の位置を通過する光線に対し、主負レンズの位置を通過する光線は光軸から離れた位置を通過することになる。このような事情から、条件式（４）の上限を下回ることで、第２絞り部材の開口径ｓ２が、第１絞り部材の開口径ｓ１よりも確実に小さくなり、コマ収差を確実に改善することができ、高性能化が可能になる。また、条件式（４）の下限を上回ることで、周辺像高の光束を遮光し過ぎることがなくなるため、周辺の光量が不足するのを防ぐことができる。
【００１７】
本発明のさらに別の側面では、主負レンズの像側面は、凹面であり、全系の中で有効径が最も小さい面である。主負レンズの像側面を凹面とすることで、軸上光束に対しては面への入射角を小さくすることができるため、球面収差の発生を小さくすることができる。また、周辺像高へ結像する光束に対しては、強い負のパワーを発揮するため、主正レンズで発生したコマ収差の補正を良好にすることができる。さらに、主負レンズの有効径を小さくすることで、主負レンズに強いパワーを持たせても、有効径の周辺部で面の傾きが大きくなり過ぎないため、有効径周辺部を通過する光線に対し、不要な球面収差とコマ収差との発生を抑えることができる。
【００１８】
本発明のさらに別の側面では、下記の条件式を満たす。
１．０＜ｆ１２３／ｆ＜４．０      …      （５）
ｆ１２３：第１レンズから第３レンズまでの合成焦点距離
ｆ：全系の焦点距離
条件式（５）の値については、より望ましくは、下式の範囲がよい。
１．５＜ｆ１２３／ｆ＜２．５      …      （５）'
【００１９】
条件式（５）は第１〜第３レンズまでの合成焦点距離ｆ１２３と、全系の焦点距離ｆとの比を表わしている。全系の焦点距離ｆを維持しつつ光学全長を短縮するためには、物体側に全系の主点位置を寄せなければならないが、物体側に強い正のパワーを配置することで全系の主点位置を物体側に寄せることができる。条件式（５）の上限を下回ることで、第１〜第３レンズが強い正のパワーを持つことになるため、光学全長の短縮に有利になる。また条件式（５）の下限を上回ることで、第１〜第３レンズの正のパワーが強くなり過ぎることがないため、球面収差やコマ収差の発生を小さくすることができる。
【００２０】
本発明のさらに別の側面では、主負レンズの像側に連続して配置される３枚のレンズが、下記の条件式をそれぞれ満たす。
０．０１＜ＳＡＧ＿Ａ／ΦＡ＜０．２０      …      （６）
ＳＡＧ＿Ａ：物体側面の有効径内のサグ量
ΦＡ：物体側面の有効径
条件式（６）の値については、より望ましくは、下式の範囲がよい。
０．０２＜ＳＡＧ＿Ａ／ΦＡ＜０．１５      …      （６）'
【００２１】
条件式（６）は、主負レンズの像側に配置される３枚のレンズの物体側面の、サグ量ＳＡＧ＿Ａと有効径ΦＡとの比を表わしている。有効径ΦＡに対しサグ量ＳＡＧ＿Ａが大きくなり過ぎると、そのレンズの光軸方向に占める領域が大きくなってしまうため、光学全長の短縮に不利になる。また、有効径ΦＡに対しサグ量ＳＡＧ＿Ａが小さ過ぎると、そのレンズは小さな屈折力しか持てないため、収差補正が困難になる。
【００２２】
本発明のさらに別の側面では、主負レンズは、主正レンズの直後の像側に配置されている。光学全長短縮の観点から、全系の主点位置を物体側に寄せるため、主正レンズはより物体側にあるのが望ましい。また、各像高に結像する光束は主正レンズの通過後に集束するため、主正レンズから離れるほど光束が細くなってしまう。収差補正の観点からは、主負レンズは、光束が太い位置に配置されることが望ましい。従って、主正レンズの像側直後に主負レンズを配置することで、光学全長の短縮を有利にしつつ、収差補正を良好にすることができる。
【００２３】
本発明のさらに別の側面では、実質的にパワーを持たない光学素子をさらに有する。
【００２４】
本発明に係る撮像装置は、上述の撮像レンズと、撮像素子とを備える。本発明の撮像レンズを用いることで、小型で明るく高性能の撮像装置を得ることができる。
【００２５】
本発明に係る携帯端末は、上述の撮像装置を備える。本発明の撮像装置を用いることで、小型で高性能の携帯端末を得ることができる。
【図面の簡単な説明】
【００２６】
【図１】本発明の一実施形態の撮像レンズを備える撮像装置を説明する図である。
【図２】レンズや絞り部材の状態を説明する部分拡大断面図である。
【図３】図１の撮像装置を備える携帯端末を説明するブロック図である。
【図４】（Ａ）及び（Ｂ）は、それぞれ携帯端末の表面側及び裏面側の斜視図である。
【図５】実施例１の撮像レンズの断面図である。
【図６】（Ａ）〜（Ｅ）は、実施例１の撮像レンズの収差図である。
【図７】実施例２の撮像レンズの断面図である。
【図８】（Ａ）〜（Ｅ）は、実施例２の撮像レンズの収差図である。
【図９】実施例３の撮像レンズの断面図である。
【図１０】（Ａ）〜（Ｅ）は、実施例３の撮像レンズの収差図である。
【図１１】実施例４の撮像レンズの断面図である。
【図１２】（Ａ）〜（Ｅ）は、実施例４の撮像レンズの収差図である。
【図１３】実施例５の撮像レンズの断面図である。
【図１４】（Ａ）〜（Ｅ）は、実施例５の撮像レンズの収差図である。
【図１５】実施例６の撮像レンズの断面図である。
【図１６】（Ａ）〜（Ｅ）は、実施例６の撮像レンズの収差図である。
【図１７】実施例７の撮像レンズの断面図である。
【図１８】（Ａ）〜（Ｅ）は、実施例７の撮像レンズの収差図である。
【図１９】実施例８の撮像レンズの断面図である。
【図２０】（Ａ）〜（Ｅ）は、実施例８の撮像レンズの収差図である。
【図２１】実施例９の撮像レンズの断面図である。
【図２２】（Ａ）〜（Ｅ）は、実施例９の撮像レンズの収差図である。
【図２３】実施例１０の撮像レンズの断面図である。
【図２４】（Ａ）〜（Ｅ）は、実施例１０の撮像レンズの収差図である。
【図２５】実施例１１の撮像レンズの断面図である。
【図２６】（Ａ）〜（Ｅ）は、実施例１１の撮像レンズの収差図である。
【図２７】実施例１２の撮像レンズの断面図である。
【図２８】（Ａ）〜（Ｅ）は、実施例１２の撮像レンズの収差図である。
【図２９】実施例１３の撮像レンズの断面図である。
【図３０】（Ａ）〜（Ｅ）は、実施例１３の撮像レンズの収差図である。
【図３１】実施例１４の撮像レンズの断面図である。
【図３２】（Ａ）〜（Ｅ）は、実施例１４の撮像レンズの収差図である。
【図３３】実施例１５の撮像レンズの断面図である。
【図３４】（Ａ）〜（Ｅ）は、実施例１５の撮像レンズの収差図である。
【図３５】実施例１６の撮像レンズの断面図である。
【図３６】（Ａ）〜（Ｅ）は、実施例１６の撮像レンズの収差図である。
【発明を実施するための形態】
【００２７】
以下、図１等を参照して、本発明の一実施形態である撮像レンズ等について説明する。なお、図１で例示した撮像レンズ１０は、後述する実施例１の撮像レンズ１１と同一の構成となっている。
【００２８】
図１は、本発明の一実施形態である撮像レンズを備えるカメラモジュールを説明する断面図である。
【００２９】
カメラモジュール５０は、被写体像を形成する撮像レンズ１０と、撮像レンズ１０によって形成された被写体像を検出する撮像素子５１と、この撮像素子５１を背後から保持するとともに配線等を有する配線基板５２と、撮像レンズ１０等を保持するとともに物体側からの光束を入射させる開口部ＯＰを有する鏡筒部５４とを備える。撮像レンズ１０は、被写体像を撮像素子５１の像面又は撮像面（被投影面）Ｉに結像させる機能を有する。このカメラモジュール５０は、後述する撮像装置に組み込まれて使用されるが、単独でも撮像装置と呼ぶものとする。
【００３０】
撮像レンズ１０は、物体側から順に、第１レンズＬ１と、第２レンズＬ２と、第３レンズＬ３と、第４レンズＬ４と、第５レンズＬ５と、第６レンズＬ６と、第７レンズＬ７とを備える。これらの第１〜第７レンズＬ１〜Ｌ７の間、第１レンズＬ１の物体側等の適所には、開口絞りＡＳや遮光絞りＦＳが配置されている。図示を省略するが、撮像レンズ１０は、上記第１〜７レンズＬ１〜Ｌ７に代えて第１〜６レンズを備えるものであってもよく、第１〜８レンズを備えるものであってもよい。具体的には、例えば上記第４、第５、第６、及び第７レンズＬ４，Ｌ５，Ｌ６，Ｌ７に代えて第４、第５、及び第６レンズを備えるものであってもよい。
【００３１】
撮像レンズ１０は、小型であり、その尺度として、以下の式（７）を満たすレベルの小型化を目指している。
Ｌ／２Ｙ＜１．００      …      （７）
ここで、Ｌは、撮像レンズ１０全系の最も物体側のレンズ面Ｓ１１から像側焦点までの光軸ＡＸ上の距離であり、２Ｙは、撮像素子５１の撮像面対角線長（撮像素子５１の矩形実効画素領域の対角線長）であり、像側焦点とは、撮像レンズ１０に光軸ＡＸと平行な平行光線が入射した場合の像点をいう。この範囲を満たすことで、カメラモジュール５０全体の小型化が可能となる。
【００３２】
なお、撮像レンズ１０の最も像側の面（像側面Ｓ７２）と像側焦点位置との間に、光学的ローパスフィルター、赤外線カットフィルター、又は撮像素子パッケージのシールガラス等の平行平板Ｆが配置される場合には、平行平板Ｆ部分は空気換算距離としたうえで上記Ｌの値を計算するものとする。また、より望ましくは下式の範囲とする。
Ｌ／２Ｙ＜０．９５      …      （７）'
【００３３】
撮像素子５１は、固体撮像素子からなるセンサーチップである。撮像素子５１の光電変換部５１ａは、ＣＣＤ（電荷結合素子）やＣＭＯＳ（相補型金属酸化物半導体）からなり、入射光をＲＧＢ毎に光電変換し、そのアナログ信号を出力する。受光部としての光電変換部５１ａの表面は、像面又は撮像面（被投影面）Ｉとなっている。
【００３４】
配線基板５２は、撮像素子５１を他の部材（例えば鏡筒部５４）に対してアライメントして固定する役割を有する。配線基板５２は、外部回路から撮像素子５１や駆動機構５５ａを駆動するための電圧や信号の供給を受けたり、また、検出信号を上記外部回路へ出力したりすることを可能としている。
【００３５】
撮像素子５１の撮像レンズ１０側には、不図示のホルダー部材によって、平行平板Ｆが撮像素子５１等を覆うように配置・固定されている。
【００３６】
鏡筒部５４は、撮像レンズ１０を収納し保持している。鏡筒部５４は、撮像レンズ１０を構成するレンズＬ１〜Ｌ７のうちいずれか１つ以上のレンズを光軸ＡＸに沿って移動させることにより、撮像レンズ１０の合焦の動作を可能にするため、例えば駆動機構５５ａを有している。駆動機構５５ａは、例えばボイスコイルモーターとガイドとを備え、特定の又は全部のレンズを光軸ＡＸに沿って往復移動させる。
【００３７】
撮像レンズ１０を構成する第１〜第７レンズＬ１〜Ｌ７は、図示を省略しているが、周囲外側に支持用の比較的肉厚のフランジ部をそれぞれ有しており、フランジ部を介して隣接するレンズと積層され、鏡筒部分５４ａ内に保持されている。
【００３８】
図２等を参照して、鏡筒部５４内に保持される撮像レンズ１０の状態を説明する。撮像レンズ１０を構成する第１〜第７レンズＬ１〜Ｌ７は、支持用のフランジ部３９をそれぞれ有しており、フランジ部３９を介して隣接するレンズと積層され、鏡筒部分５４ａ内に保持されている。これらのレンズＬ１〜Ｌ７の間には、フランジ部３９に挟まれて１つの開口絞りＡＳと５つの遮光絞りＦＳとが配置され、迷光の発生を防止している。鏡筒部分５４ａの物体側には、レンズＬ１の有効径の周囲を覆うような開口絞りＦＳが形成されている。第７レンズＬ７のフランジ部３９の像側にも遮光絞りＦＳが配置されている。以上の開口絞りＡＳや遮光絞りＦＳは、いずれも結像に寄与し得る光線を選択的に通過させるための絞り部材である。
【００３９】
次に、図３、図４（Ａ）及び４（Ｂ）を参照して、図１に例示されるカメラモジュール５０を搭載した携帯電話機その他の携帯端末３００の一例について説明する。
【００４０】
携帯端末３００は、スマートフォン型の携帯通信端末であり、カメラモジュール５０を有する撮像装置１００と、各部を統括的に制御するとともに各処理に応じたプログラムを実行する制御部（ＣＰＵ）３１０と、通信に関連するデータ、撮像した映像等を表示するとともにユーザーの操作を受け付けるタッチパネルである表示操作部３２０と、電源スイッチ等を含む操作部３３０と、アンテナ３４１を介して外部サーバー等との間の各種情報通信を実現するための無線通信部３４０と、携帯端末３００のシステムプログラムや各種処理プログラム及び端末ＩＤ等の必要な諸データを記憶している記憶部（ＲＯＭ）３６０と、制御部３１０によって実行される各種処理プログラムやデータ、処理データ、若しくは撮像装置１００による撮像データ等を一時的に格納する作業領域として用いられる一時記憶部（ＲＡＭ）３７０とを備えている。
【００４１】
撮像装置１００は、既に説明したカメラモジュール５０のほかに、制御部１０３、光学系駆動部１０５、撮像素子駆動部１０７、画像メモリー１０８等を備える。
【００４２】
制御部１０３は、撮像装置１００の各部を制御する。制御部１０３は、ＣＰＵ（Central Processing Unit）、ＲＡＭ（Random Access Memory）、ＲＯＭ（Read Only Memory）等を含み、ＲＯＭから読み出されてＲＡＭに展開された各種プログラムとＣＰＵとの協働によって各種処理を実行する。なお、制御部１０３は、撮像装置１００外の制御部３１０と通信可能に接続されており、制御信号や画像データの授受が可能になっている。
【００４３】
光学系駆動部１０５は、制御部１０３の制御により合焦、露出等を行う際に、撮像レンズ１０の駆動機構５５ａを動作させて撮像レンズ１０の状態を制御する。光学系駆動部１０５は、駆動機構５５ａを動作させて撮像レンズ１０中の特定レンズ又は全レンズを光軸ＡＸに沿って適宜移動させることにより、撮像レンズ１０に合焦動作等を行わせる。
【００４４】
撮像素子駆動部１０７は、制御部１０３の制御により露出等を行う際に、撮像素子５１の動作を制御する。具体的には、撮像素子駆動部１０７は、タイミング信号に基づいて撮像素子５１を走査駆動し、これから画像信号を取り出す。また、撮像素子駆動部１０７は、撮像素子５１によって検出されデジタル化された画像信号に対して、歪み補正、色補正、圧縮等の各種画像処理を施すことができる。
【００４５】
画像メモリー１０８は、デジタル化された画像信号を撮像素子駆動部１０７から受け取って、読み出し及び書き込み可能な画像データとして記憶する。
【００４６】
ここで、上記撮像装置１００を含む携帯端末３００の撮影動作を説明する。携帯端末３００をカメラとして動作させるカメラモードに設定されると、被写体のモニタリング（スルー画像表示）と、画像撮影実行とが行われる。モニタリングにおいては、撮像レンズ１０を介して得られた被写体の像が、撮像素子５１の撮像面Ｉ（図１参照）に結像される。撮像素子５１は、撮像素子駆動部１０７によって走査駆動され、一定周期毎に結像した光像に対応する光電変換出力としてのアナログ信号を１画面分検出する。
【００４７】
このアナログ信号は、撮像素子５１に付属する回路においてＲＧＢの各原色成分毎に適宜ゲイン調整された後に、デジタルデータに変換される。そのデジタルデータに対しては、撮像素子駆動部１０７にて画素補間処理及びＹ補正処理を含むカラープロセス処理が行われて、デジタル値の輝度信号Ｙ及び色差信号Ｃｂ，Ｃｒ（画像データ）が生成されて画像メモリー１０８に格納される。格納されたデジタルデータは、画像メモリー１０８から定期的に読み出されてビデオ信号の生成に利用され、制御部１０３及び制御部３１０を介して、表示操作部３２０に出力される。
【００４８】
この表示操作部３２０は、モニタリングにおいてはファインダーとして機能し、撮像画像をリアルタイムに表示することとなる。この状態で、随時、ユーザーが表示操作部３２０を介して行う操作入力に基づいて、光学系駆動部１０５の駆動により撮像レンズ１０の合焦、露出等が設定される。
【００４９】
このようなモニタリング状態において、ユーザーが表示操作部３２０を適宜操作することにより、静止画像データが撮影される。表示操作部３２０の操作内容に応じて、画像メモリー１０８に格納された１コマの画像データが読み出されて、撮像素子駆動部１０７により圧縮等の処理が施される。その処理された画像データは、制御部１０３及び制御部３１０を介して、例えば一時記憶部（ＲＡＭ）３７０等に記録される。
【００５０】
なお、上述の撮像装置１００は、本発明に好適な撮像装置の一例であり、本発明は、これに限定されるものではない。
【００５１】
すなわち、カメラモジュール５０又は撮像レンズ１０を搭載した撮像装置は、スマートフォン型の携帯端末３００に内蔵されるものに限らず、携帯電話、ＰＨＳ（Personal Handyphone System）等に内蔵されるものであってもよく、ＰＤＡ（Personal Digital Assistant）、タブレットパソコン、モバイルパソコン、デジタルスチルカメラ、ビデオカメラ等に内蔵されるであってもよい。
【００５２】
以下、図１等に戻って、本発明の一実施形態である撮像レンズ１０について詳細に説明する。図１に示す撮像レンズ１０は、撮像素子５１の撮像面（被投影面）Ｉに被写体像を結像させるものであって、物体側から順に、物体側に凸面を向けた正の第１レンズＬ１と、第２レンズＬ２と、第３レンズＬ３と、第４レンズＬ４と、第５レンズＬ５と、第６レンズＬ６と、光軸ＡＸ近傍で像側に凹面を向けた負の第７レンズＬ７と、を備える。上記撮像レンズ１０において、最も像側の第７レンズＬ７の物体側面Ｓ７１及び像側面Ｓ７２は、非球面であり、特に像側面Ｓ７２は、有効径内に極値すなわち変曲点Ｐを持つ。第１〜第３レンズＬ１〜Ｌ３のうち、第１レンズＬ１は、光軸ＡＸ近傍で正の屈折力を有する正レンズであり、第２及び第３レンズＬ２，Ｌ３は、例えばいずれも光軸ＡＸ近傍で負の屈折力を有する負レンズである。図示の例では、第１〜第３レンズＬ１〜Ｌ３を構成する正レンズは１つであり、第１レンズＬ１が主正レンズとなっている。また、図示の例では、第２レンズＬ２の焦点距離（絶対値）が第３レンズＬ３の焦点距離（絶対値）よりも短く、第２レンズＬ２が主負レンズとなっている。第１及び第２レンズＬ１，Ｌ２の合成焦点距離は、正の値となっている。撮像レンズ１０は、第３レンズＬ３より物体側に開口絞りＡＳを有し、図示の例では、開口絞りＡＳが第１及び第２レンズＬ１，Ｌ２の間に配置されている。この撮像レンズ１０において、第１レンズＬ１の物体側と、第２及び第３レンズＬ２，Ｌ３の間とに遮光絞りＦＳが配置されている。ここで、第１レンズＬ１の物体側に配置されている遮光絞りＦＳ１は、第１開口を持った第１絞り部材として機能し、第１及び第２レンズＬ１，Ｌ２の間に配置されている開口絞りＡＳ又は第２及び第３レンズＬ２，Ｌ３の間に配置されている遮光絞りＦＳ２は、第２開口を持った第２絞り部材として機能している。
【００５３】
上記撮像レンズ１０によれば、物体側に近い第１〜第３レンズＬ１〜Ｌ３のうち第１レンズＬ１を正レンズとし、かつ、第１及び第２レンズＬ１，Ｌ２の合成焦点距離を正の値としているので、撮像レンズ１０全系の主点位置が物体側に寄るため、光学全長の短縮に有利になっている。また、第１〜第３レンズＬ１〜Ｌ３のうち第２レンズＬ２等を負レンズとすることで、軸上光束径の太い位置に負レンズを配置することができるため、軸上色収差及び球面収差の補正に有利になる。さらに、最終の第７レンズＬ７の像側面Ｓ７２を有効径内に変曲点Ｐを持った非球面とすることで、周辺像高の光線が撮像面Ｉへ入射する際の入射角を小さく抑えることが可能になるため、撮像素子５１の受光効率を向上させることができる。
【００５４】
上記撮像レンズ１０においては、値Ｄｎを主負レンズ（第２レンズＬ２）の像側面Ｓ２２から撮像面Ｉまでの距離とし、値ｓ１を物体側の遮光絞りＦＳに設けられた第１開口の開口径とし、値ｓ２を像側の遮光絞りＦＳに設けられた第２開口の開口径として、以下の条件式（１）及び（２）
１．５＜Ｄｎ／ｓ１＜２．３      …      （１）
ｓ１≧ｓ２      …      （２）
を満足するものとなっている。ここで、値Ｄｎについては、平行平板Ｆの部分は空気換算長として計算する。また、値ｓ２については、第１レンズＬ１の物体側に配置された第１絞り部材（遮光絞り）ＦＳ１の開口径として与えられる。値ｓ２については、第２及び第３レンズＬ２，Ｌ３間に配置された第２絞り部材（遮光絞り）ＦＳ２の開口径として与えられる。図示の例では、主負レンズである第２レンズＬ２の物体側の開口絞りＡＳの開口径よりも第２レンズＬ２の像側の遮光絞りＦＳの開口径の方が小さく、第２絞り部材は、第２及び第３レンズＬ２，Ｌ３間の遮光絞りＦＳとなっている。
なお、条件式（１）の値Ｄｎ／ｓ１については、下記の条件式（１）'の範囲内とすることがより望ましい。
１．６＜Ｄｎ／ｓ１＜２．２      …      （１）'
【００５５】
上記撮像レンズ１０によれば、値Ｄｎ／ｓ１が条件式（１）の下限を上回ることで、主負レンズ（第２レンズＬ２）が撮像面Ｉに近付き過ぎたり、絞り部材ＦＳに設けられた第１開口の開口径ｓ１が大きくなり過ぎたりすることを抑制できるため、球面収差やコマ収差の補正を良好にできる。一方、値Ｄｎ／ｓ１が条件式（１）の上限を下回ることで、主負レンズ（第２レンズＬ２）が像面から遠ざかり過ぎたり、絞り部材ＦＳに設けられた第１開口の開口径ｓ１が小さくなり過ぎたりすることを抑制できるため、撮像レンズ１０の光学全長を短縮しつつ大口径化することが可能になる。
また、上記撮像レンズ１０によれば、条件式（２）を満たし、第１絞り部材ＦＳ１の開口径ｓ１が第２絞り部材ＦＳ２の開口径ｓ２よりもが小さくなり、周辺像高に結像する光束のうち、入射瞳の端付近を通過する光線を遮光することになるため、コマ収差を改善することができ、高性能化が可能になる。
【００５６】
本実施形態の撮像レンズ１０は、上記条件式（１）及び（２）に加えて、既に説明した条件式（３）
１．０≦Φｍａｘ／ＥＰＤ＜１．２５      …      （３）
を満足する。ただし、値Φｍａｘは、第１〜第３レンズＬ１〜Ｌ３までのうち、最も有効径が大きいレンズ（図示の例では第１レンズＬ１）の有効径であり、値ＥＰＤは、入射瞳直径である。
なお、条件式（３）の値Φｍａｘ／ＥＰＤについては、下記の条件式（３）'の範囲内とすることがより望ましい。
１．０≦Φｍａｘ／ＥＰＤ＜１．１      …      （３）'
【００５７】
本実施形態の撮像レンズ１０は、上記条件式（１）等に加えて、既に説明した条件式（４）
０．７０＜ｓ２／ｓ１≦１．０      …      （４）
を満足する。
なお、条件式（４）の値ｓ２／ｓ１については、下記の条件式（４）'の範囲内とすることがより望ましい。
０．７３＜ｓ２／ｓ１≦０．９０      …      （４）'
【００５８】
本実施形態の撮像レンズ１０は、上記条件式（１）等に加えて、既に説明した条件式（５）
１．０＜ｆ１２３／ｆ＜４．０      …      （５）
を満足する。ただし、値ｆ１２３は、第１〜第３レンズＬ１〜Ｌ３までの合成焦点距離であり、値ｆは、撮像レンズ１０全系の焦点距離である。
なお、条件式（５）の値ｆ１２３／ｆについては、下記の条件式（５）'の範囲内とすることがより望ましい。
１．５＜ｆ１２３／ｆ＜２．５      …      （５）'
【００５９】
本実施形態の撮像レンズ１０のうち、主負レンズ（第２レンズＬ２）の像側に配置される３枚のレンズ（第３、第４、第５レンズＬ３，Ｌ４，Ｌ５）については、上記条件式（１）等に加えて、既に説明した条件式（６）
０．０１＜ＳＡＧ＿Ａ／ΦＡ＜０．２０      …      （６）
を満足する。ただし、値ＳＡＧ＿Ａは、上記３枚のレンズＬ３〜Ｌ５の物体側面Ｓ３１，Ｓ４１，Ｓ５１の有効径内のサグ量であり、ΦＡは、各レンズＬ３〜Ｌ５の物体側面Ｓ３１，Ｓ４１，Ｓ５１の有効径である。
なお、条件式（６）の値ＳＡＧ＿Ａ／ΦＡについては、下記の条件式（６）'の範囲内とすることがより望ましい。
０．０２＜ＳＡＧ＿Ａ／ΦＡ＜０．１５      …      （６）'
【００６０】
本実施形態の撮像レンズ１０では、特に図示していないが、実質的にパワーを持たないレンズその他の光学素子をさらに備えるものとできる。
【００６１】
〔実施例〕
以下、本発明に係る撮像レンズの具体的な実施例について説明する。各実施例において、ｒは曲率半径を意味し、ｄは軸上面間隔を意味し、ｎｄはレンズ材料のｄ線に対する屈折率を意味し、ｖｄはレンズ材料のアッベ数を意味し、「ｅｆｆ．ｄｉａ．」は有効径を意味する。また、各面番号の後に「＊」が記載されている面が非球面形状を有する面であり、非球面の形状は、面の頂点を原点とし、光軸ＡＸ方向にＸ軸をとり、光軸ＡＸと垂直方向の高さをｈとして以下の「数１」で表す。
【数１】
2015072405.tif 000003
ただし、
Ａｉ：ｉ次の非球面係数
Ｒ：曲率半径
Ｋ：円錐定数
さらに、各実施例において、「ＳＴＯ」は開口絞りＡＳを意味し、「ＦＳ」は遮光絞りＦＳを意味する。
なお、各実施例の撮像レンズが前提とする使用基本波長は５８７．５６ｎｍであり、曲率半径等の面形状の単位はｍｍである。
【００６２】
〔実施例１〕
実施例１のレンズ面のデータを以下の表１に示す。
〔表１〕
面番号    r           d        nd       vd     eff. dia.
1 FS  INFINITY     -0.1000                     2.700
2*      1.9667      0.7120   1.54470   56      2.625
3*     -9.5028      0.0663                     2.494
STO    INFINITY      0.0000                     2.443
5*      2.1268      0.1504   1.63469   23.9    2.282
6*      1.1775      0.3670                     2.056
7 FS  INFINITY      0.1800                     2.050
8*     22.5212      0.3660   1.54470   56      2.182
9*      8.2854      0.1000                     2.451
10*      2.6266      0.3717   1.54470   56      2.778
11*      4.7470      0.1535                     3.036
12*      8.6726      0.2000   1.63469   23.9    3.277
13*      5.3552      0.2870                     3.431
14*      8.4713      0.6176   1.54470   56      3.820
15*     -1.2722      0.2844                     4.092
16*     45.1563      0.3151   1.54470   56      4.908
17*      1.0531      0.4000                     5.309
18     INFINITY      0.1100   1.51633   64.1    5.602
19     INFINITY      0.3790
【００６３】
実施例１のレンズ面の非球面係数を以下の表２に示す。
〔表２〕
第2面
K=-8.22802e-001, A4=1.91375e-002, A6=5.43170e-003, 
A8=-5.90436e-003, A10=8.76981e-003, A12=-4.67995e-003, 
A14=1.07996e-003
第3面
K=-7.98909e+001, A4=9.81762e-002, A6=-1.18737e-001, 
A8=1.18025e-001, A10=-7.92024e-002, A12=3.03109e-002, 
A14=-4.86274e-003
第5面
K=-2.24162e+001, A4=1.80214e-002, A6=-4.06404e-002, 
A8=5.39192e-002, A10=-5.00906e-002, A12=2.27445e-002, 
A14=-3.54001e-003
第6面
K=-6.33786e+000, A3=1.03847e-002, A4=1.36593e-002, 
A5=1.94056e-002, A6=4.64130e-002, A8=-1.32939e-001, 
A10=1.71554e-001, A12=-1.14880e-001, A14=3.23310e-002
第8面
K=-2.79837e+001, A3=-1.02503e-002, A4=1.95438e-002, 
A5=-1.94346e-001, A6=2.30842e-001, A8=-2.05062e-001, 
A10=1.34975e-001, A12=-5.11263e-002, A14=-3.10333e-004
第9面
K=4.97825e+000, A3=-4.48486e-002, A4=-1.72924e-001, 
A5=4.01329e-003, A6=6.30455e-002, A8=-4.19386e-002, 
A10=6.44463e-003, A12=6.17139e-003, A14=-4.50847e-003
第10面
K=4.89398e-001, A3=-7.49603e-002, A4=-1.53262e-001, 
A5=9.45476e-003, A6=-1.14499e-002, A8=5.41254e-003, 
A10=7.60970e-003,A12=1.34869e-003,A14=-1.55023e-003
第11面
K=6.32329e+000, A3=-8.08059e-002, A4=-5.21718e-002, 
A5=5.05387e-002, A6=-1.28865e-001, A8=5.81021e-002, 
A10=-1.28264e-002,A12=1.49895e-003
第12面
K=1.86989e+001, A3=-4.91918e-002, A4=-3.35069e-001, 
A5=3.65152e-001, A6=-2.67571e-001, A8=1.01794e-001, 
A10=-1.92471e-002, A12=8.87502e-004
第13面
K=-3.08174e+000, A3=-3.23757e-002, A4=-2.63810e-001, 
A5=1.59983e-001, A6=-4.87836e-002, A8=6.04489e-003, 
A10=6.42809e-003,A12=-2.20734e-003,A14=1.58325e-004
第14面
K=-3.38748e+001, A3=-3.88196e-003, A4=1.24503e-002, 
A5=-1.20172e-001, A6=1.17358e-001, A8=-4.78783e-002, 
A10=1.49422e-002, A12=-2.67805e-003, A14=2.20101e-004
第15面
K=-9.07157e+000, A3=-9.46510e-002, A4=-5.97512e-002, 
A5=1.02415e-001, A6=-6.69828e-003, A8=-1.78173e-002, 
A10=6.50738e-003, A12=-1.12326e-003, A14=7.68896e-005
第16面
K=7.99641e+001, A3=-1.20236e-001, A4=-9.23792e-002, 
A5=3.91343e-002, A6=2.25840e-002, A8=-2.96911e-003, 
A10=-3.44293e-004, A12=8.49048e-005, A14=-4.43939e-006
第17面
K=-6.37169e+000, A3=-1.87779e-003, A4=-1.49423e-001, 
A5=1.11589e-001, A6=-2.92809e-002, A8=1.35999e-003, 
A10=-2.30915e-004, A12=2.63067e-005, A14=-8.30657e-007
なお、これ以降（表のレンズデータを含む）において、１０のべき乗数（たとえば２．５×１０−００２）を、ｅ（たとえば２．５ｅ−００２）を用いて表すものとする。
【００６４】
実施例１の撮像レンズの特性を以下に列挙する。
FL        3.778
Fno       1.44
w        75.33
Ymax      2.916
BF        0.889
TL        5.060
BFa       0.852
TLa       5.023
ここで、ＦＬは撮像レンズ全系の焦点距離を意味し、ＦｎｏはＦナンバーを意味し、ｗは対角線画角を意味し、Ｙｍａｘは撮像素子の撮像面対角線長の半値を意味し、ＢＦはバックフォーカスを意味し、ＴＬは系全長を意味する。また、ＢＦａは、バックフォーカス（最終レンズ〜像面Ｉ  ※平行平板は空気換算長としたとき）、ＴＬａは、光学全長（最終レンズ〜像面Ｉ  ※平行平板は空気換算長としたとき）を意味する。なお、以上の符号は、これ以降の実施例でも同様の意味を有するものとする。
【００６５】
実施例１の単レンズデータを以下の表３に示す。
〔表３〕
レンズ番号  面番号  焦点距離       有効径
Elem   Surfs   Focal Length    Diameter
1     2- 3      3.0584        2.625
2     5- 6     -4.4284        2.282
3     8- 9    -24.2842        2.451
4    10-11     10.1673        3.036
5    12-13    -22.5866        3.431
6    14-15      2.0771        4.092
7    16-17     -1.9845        5.309
8    18-19     -1e+035        5.638
【００６６】
図５は、実施例１の撮像レンズ１１等の断面図である。撮像レンズ１１は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で弱い負の屈折力を有し像側に凹面を向けた略平凹の第３レンズＬ３と、光軸ＡＸ周辺で正の屈折力を有し物体側に凸面を向けたメニスカスの第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有し像側に凹面を向けた略平凹の第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第２及び第３レンズＬ２，Ｌ３の間とには、遮光絞りＦＳがそれぞれ配置されている。なお、例えば第１レンズＬ１の光入射面と物体との間には、適当な厚さの平行平板（不図示）を配置することができ、この点は、以下の実施例でも同様である。
【００６７】
図６（Ａ）〜６（Ｃ）は、実施例１の撮像レンズ１１の諸収差図（球面収差、非点収差、歪曲収差）を示し、図６（Ｄ）及び６（Ｅ）は、実施例１の撮像レンズ１１の横収差を示している。
【００６８】
〔実施例２〕
実施例２のレンズ面のデータを以下の表４に示す。
〔表４〕
面番号    r           d        nd       vd     eff. dia.
1 FS  INFINITY     -0.2500                     2.700
2*      1.8265      0.7706   1.54470   56      2.633
3*     -9.8075      0.0500                     2.483
4*      2.2119      0.1796   1.63469   23.9    2.261
5*      1.1650      0.3677                     1.978
STO    INFINITY      0.1500                     1.963
7*    -15.7609      0.1900   1.54470   56      2.113
8*     12.4701      0.1015                     2.279
9*      3.4709      0.6368   1.54470   56      2.595
10*     13.7284      0.1000                     2.996
11*      6.9010      0.2000   1.63469   23.9    3.132
12*      6.4920      0.5187                     3.256
13*     44.5000      0.4973   1.54470   56      3.591
14*     -1.1492      0.1749                     3.914
15*     -5.2967      0.3007   1.54470   56      4.536
16*      1.1765      0.7000                     5.011
17     INFINITY      0.1100   1.51633   64.1    5.680
18     INFINITY      0.2024
【００６９】
実施例２のレンズ面の非球面係数を以下の表５に示す。
〔表５〕
第2面
K=-7.62402e-001, A4=2.04751e-002, A6=6.15415e-003, 
A8=-6.48276e-003, A10=8.84911e-003, A12=-4.48738e-003, 
A14=1.01834e-003
第3面
K=9.83262e+000, A4=9.78535e-002, A6=-1.16417e-001, 
A8=1.18654e-001, A10=-7.95199e-002, A12=3.02924e-002, 
A14=-4.86274e-003
第4面
K=-1.88230e+001, A4=-8.39250e-004, A6=-3.81024e-002, 
A8=6.15429e-002, A10=-4.95206e-002, A12=2.10021e-002, 
A14=-3.54000e-003
第5面
K=-5.13366e+000, A3=9.20875e-003, A4=1.19772e-002, 
A5=1.92273e-002, A6=5.03902e-002, A8=-1.21332e-001, 
A10=1.72304e-001, A12=-1.22781e-001, A14=3.79822e-002
第7面
K=-8.00000e+001, A3=-1.31138e-002, A4=4.62154e-002, 
A5=-1.85231e-001, A6=2.34638e-001, A8=-1.98611e-001, 
A10=1.35696e-001, A12=-5.04387e-002, A14=7.62898e-003
第8面
K=4.88218e+001, A3=-1.80239e-002, A4=-1.52562e-001, 
A5=1.13531e-002, A6=6.54020e-002, A8=-3.87499e-002, 
A10=1.08407e-002, A12=9.52540e-003, A14=-3.15667e-003
第9面
K=2.06211e+000, A3=-1.95698e-002, A4=-1.42525e-001, 
A5=1.93943e-002, A6=-8.24714e-003, A8=3.05060e-003, 
A10=7.47791e-003, A12=1.72573e-003, A14=-1.21519e-003
第10面
K=-8.00000e+001, A3=-2.74626e-002, A4=-2.19898e-002, 
A5=6.27652e-002, A6=-1.24758e-001, A8=5.60335e-002, 
A10=-1.42980e-002, A12=2.03003e-003
第11面
K=1.39238e+001, A3=-8.44025e-003, A4=-3.28119e-001, 
A5=3.72168e-001, A6=-2.65022e-001, A8=9.88716e-002, 
A10=-2.05718e-002, A12=1.06740e-003
第12面
K=1.34574e+001, A3=-1.32284e-002, A4=-2.56059e-001, 
A5=1.57577e-001, A6=-5.11886e-002, A8=7.16231e-003, 
A10=6.80037e-003, A12=-2.26892e-003, A14=4.15564e-005
第13面
K=8.00000e+001, A3=-9.74745e-003, A4=1.71772e-002, 
A5=-1.27294e-001, A6=1.14521e-001, A8=-4.81556e-002, 
A10=1.49933e-002, A12=-2.62088e-003, A14=2.30959e-004
第14面
K=-7.64107e+000, A3=-4.42792e-002, A4=-7.79999e-002, 
A5=9.16848e-002, A6=-8.06985e-003, A8=-1.69608e-002, 
A10=6.70296e-003, A12=-1.10843e-003, A14=6.64654e-005
第15面
K=-6.14130e+001, A3=-6.87097e-002, A4=-9.91812e-002, 
A5=3.63023e-002, A6=2.20450e-002, A8=-2.94886e-003, 
A10=-3.32315e-004, A12=8.65810e-005, A14=-4.83883e-006
第16面
K=-9.29155e+000, A3=-1.25830e-002, A4=-1.28523e-001, 
A5=1.02833e-001, A6=-3.15161e-002, A8=1.69075e-003, 
A10=-1.99522e-004, A12=2.45502e-005, A14=-1.11388e-006
【００７０】
実施例２の撮像レンズの特性を以下に列挙する。
FL        4.313
Fno       1.64
w        67.60
Ymax      2.921
BF        1.012
TL        5.250
BFa       0.975
TLa       5.213
【００７１】
実施例２の単レンズデータを以下の表６に示す。
〔表６〕
Elem   Surfs   Focal Length    Diameter
1     2- 3      2.8944        2.633
2     4- 5     -4.1550        2.261
3     7- 8    -12.7508        2.279
4     9-10      8.3456        2.996
5    11-12   -213.0273        3.256
6    13-14      2.0645        3.914
7    15-16     -1.7389        5.011
【００７２】
図７は、実施例２の撮像レンズ１２等の断面図である。撮像レンズ１２は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で負の屈折力を有する両凹の第３レンズＬ３と、光軸ＡＸ周辺で正の屈折力を有し物体側に凸面を向けたメニスカスの第４レンズＬ４と、光軸ＡＸ周辺で弱い負の屈折力を有し物体側に凸面を向けたメニスカスの第５レンズＬ５と、光軸ＡＸ周辺で正の屈折力を有し像側に凸面を向けた略平凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側には、遮光絞りＦＳが配置されている。なお、例えば第１レンズＬ１の光入射面と物体との間には、適当な厚さの平行平板（不図示）を配置することができる。
【００７３】
図８（Ａ）〜８（Ｃ）は、実施例２の撮像レンズ１２の諸収差図（球面収差、非点収差、歪曲収差）を示し、図８（Ｄ）及び８（Ｅ）は、実施例２の撮像レンズ１２の横収差を示している。
【００７４】
〔実施例３〕
実施例３のレンズ面のデータを以下の表７に示す。
〔表７〕
面番号    r           d        nd       vd     eff. dia.
STO    INFINITY     -0.2500                     2.625
2*      2.0635      0.7031   1.54470   56      2.625
3*     -8.2734      0.0500                     2.493
4*      2.2022      0.1957   1.63469   23.9    2.290
5*      1.1925      0.4520                     2.045
6 FS  INFINITY      0.1000                     2.040
7*     47.5805      0.3000   1.54470   56      2.074
8*     25.0398      0.0884                     2.326
9*      4.6503      0.9065   1.54470   56      2.828
10*     52.3411      0.1642                     3.208
11*     -1.7499      0.2004   1.63469   23.9    3.326
12*     -1.4313      0.0500                     3.557
13*     13.9998      0.4818   1.54470   56      3.698
14*    -20.0000      0.3261                     4.129
15*      1.2751      0.3604   1.54470   56      4.867
16*      0.7678      0.6000                     5.318
17     INFINITY      0.1100   1.51633   64.1    5.700
18     INFINITY      0.1419
【００７５】
実施例３のレンズ面の非球面係数を以下の表８に示す。
〔表８〕
第2面
K=-1.42862e+000, A4=2.77675e-002, A6=5.43424e-003, 
A8=-6.07353e-003, A10=8.35891e-003, A12=-4.15242e-003, 
A14=9.53612e-004
第3面
K=-8.00000e+001, A4=9.76993e-002, A6=-1.24374e-001, 
A8=1.24899e-001, A10=-8.16539e-002, A12=3.04828e-002, 
A14=-4.86208e-003
第4面
K=-1.93605e+001, A4=4.29146e-002, A6=-9.25227e-002, 
A8=9.66026e-002, A10=-6.67212e-002, A12=2.46267e-002, 
A14=-3.54009e-003
第5面
K=-3.93582e+000, A3=-1.12833e-002, A4=-3.64851e-002, 
A5=3.27652e-002, A6=9.76461e-002, A8=-1.58322e-001, 
A10=1.37490e-001, A12=-6.70341e-002, A14=1.50187e-002
第7面
K=8.00000e+001, A3=-5.10427e-002, A4=1.39741e-001, 
A5=-3.81210e-001, A6=3.26202e-001, A8=-1.70718e-001, 
A10=7.85483e-002, A12=-2.37923e-002, A14=1.81202e-003
第8面
K=0.00000e+000, A4=-2.73521e-001, A6=1.78928e-001, 
A8=-8.65778e-002, A10=2.22277e-002, A12=-1.85128e-003
第9面
K=0.00000e+000, A4=-2.58118e-001, A6=1.43757e-001, 
A8=-2.48977e-002, A10=-9.02995e-004, A12=6.19376e-004
第10面
K=8.00000e+001, A3=-1.62229e-002, A4=-1.27850e-001, 
A5=6.36093e-002, A6=-8.40529e-002, A8=6.12670e-002, 
A10=-2.25320e-002, A12=3.51866e-003
第11面
K=-2.65028e-001, A3=1.68317e-001, A4=-2.36497e-001, 
A5=3.68567e-001, A6=-2.97211e-001, A8=9.30939e-002, 
A10=-1.81863e-002, A12=1.36314e-003
第12面
K=-5.58624e-001, A3=5.09014e-001, A4=-4.45879e-001, 
A5=1.53316e-001, A6=-2.61242e-002, A8=5.47005e-003, 
A10=4.88155e-003, A12=-1.93135e-003, A14=1.64661e-004
第13面
K=5.39428e+001, A3=3.27596e-001, A4=-2.71244e-001, 
A5=-2.35007e-002, A6=1.23190e-001, A8=-5.87165e-002, 
A10=1.46150e-002, A12=-1.99635e-003, A14=9.95736e-005
第14面
K=-8.00000e+001, A3=-4.14744e-001, A4=5.25797e-001, 
A5=-1.30899e-001, A6=-1.89797e-002, A8=-1.34729e-002, 
A10=5.95330e-003, A12=-8.74575e-004, A14=5.16865e-005
第15面
K=-1.43986e+001, A3=-3.35318e-001, A4=9.71430e-003, 
A5=4.59226e-002, A6=1.67337e-002, A8=-3.65987e-003, 
A10=-2.80541e-004, A12=9.56718e-005, A14=-5.70973e-006
第16面
K=-6.17418e+000, A3=-1.20474e-002, A4=-1.86539e-001, 
A5=1.61058e-001, A6=-4.60649e-002, A8=1.54960e-003, 
A10=-1.18236e-004, A12=2.46917e-005, A14=-1.62982e-006
【００７６】
実施例３の撮像レンズの特性を以下に列挙する。
FL        3.791
Fno       1.44
w        75.43
Ymax      2.921
BF        0.852
TL        5.231
BFa       0.814
TLa       5.193
【００７７】
実施例３の単レンズデータを以下の表９に示す。
〔表９〕
Elem   Surfs   Focal Length    Diameter
1     2- 3      3.1066        2.625
2     4- 5     -4.4312        2.290
3     7- 8    -97.4945        2.326
4     9-10      9.3074        3.208
5    11-12      9.9549        3.557
6    13-14     15.1947        4.129
7    15-16     -4.7278        5.318
【００７８】
図９は、実施例３の撮像レンズ１３等の断面図である。撮像レンズ１３は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で弱い負の屈折力を有する略平板の第３レンズＬ３と、光軸ＡＸ周辺で正の屈折力を有し物体側に凸面を向けた略凸平の第４レンズＬ４と、光軸ＡＸ周辺で正の屈折力を有し像側に凸面を向けたメニスカスの第５レンズＬ５と、光軸ＡＸ周辺で正の屈折力を有し像側に凸面を向けた略凸平の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１レンズＬ１の外縁の物体側には、開口絞り（ＳＴＯ）ＡＳが配置され、第２及び第３レンズＬ２，Ｌ３の間には、遮光絞りＦＳが配置されている。なお、例えば第１レンズＬ１の光入射面と物体との間には、適当な厚さの平行平板（不図示）を配置することができる。
【００７９】
図１０（Ａ）〜１０（Ｃ）は、実施例３の撮像レンズ１３の諸収差図（球面収差、非点収差、歪曲収差）を示し、図１０（Ｄ）及び１０（Ｅ）は、実施例３の撮像レンズ１３の横収差を示している。
【００８０】
〔実施例４〕
実施例４のレンズ面のデータを以下の表１０に示す。
〔表１０〕
面番号    r           d        nd       vd     eff. dia.
1 FS  INFINITY     -0.1500                     2.700
2*      2.5717      0.6047   1.54470   56      2.610
3*     -7.0453      0.1420                     2.497
STO    INFINITY      0.0000                     2.393
5*      1.8236      0.1687   1.63469   23.9    2.264
6*      1.1019      0.4572                     2.108
7 FS  INFINITY      0.1000                     2.080
8*     37.1918      0.3890   1.54470   56      2.135
9*    -21.8268      0.1039                     2.412
10*      8.3148      0.5705   1.54470   56      2.767
11*      8.1875      0.1528                     3.061
12*      2.6709      0.2002   1.63469   23.9    3.376
13*      4.4625      0.3514                     3.442
14*    -18.8765      0.6658   1.54470   56      3.617
15*     -1.0741      0.2265                     3.959
16*    -34.1129      0.3255   1.54470   56      4.849
17*      0.9139      0.4000                     5.376
18     INFINITY      0.1100   1.51633   64.1    6.000
19     INFINITY      0.4068
【００８１】
実施例４のレンズ面の非球面係数を以下の表１１に示す。
〔表１１〕
第2面
K=-4.83126e+000, A4=4.41063e-002, A6=-6.70306e-003, 
A8=9.50319e-005, A10=5.51386e-003, A12=-3.75901e-003, 
A14=1.10559e-003
第3面
K=4.36307e+000, A4=1.02298e-001, A6=-1.10820e-001, 
A8=1.13887e-001, A10=-7.73968e-002, A12=3.02679e-002, 
A14=-4.85976e-003
第5面
K=-1.05288e+001, A4=8.03773e-003, A6=-6.31082e-002, 
A8=7.23894e-002, A10=-5.66858e-002, A12=2.19704e-002, 
A14=-3.54000e-003
第6面
K=-3.83762e+000, A3=3.29363e-004, A4=-2.84048e-002, 
A5=-2.17539e-003, A6=8.56233e-002, A8=-1.51213e-001, 
A10=1.60736e-001, A12=-9.79742e-002, A14=2.46623e-002
第8面
K=1.89728e+001, A3=-1.68594e-002, A4=4.52334e-002, 
A5=-2.02623e-001, A6=2.12537e-001, A8=-1.83276e-001, 
A10=1.49874e-001, A12=-8.31354e-002, A14=1.63616e-002
第9面
K=0.00000e+000, A4=-1.28346e-001, A6=1.68384e-002, 
A8=-1.39014e-003, A10=-3.16422e-003, A12=-1.96502e-003
第10面
K=0.00000e+000, A4=-1.07253e-001, A6=1.33674e-002, 
A8=8.06280e-003, A10=-3.12697e-003, A12=-2.27241e-005
第11面
K=2.56707e+001, A3=-1.20100e-001, A4=-6.97855e-002, 
A5=1.11286e-001, A6=-1.14865e-001, A8=4.31103e-002, 
A10=-1.23434e-002, A12=1.21780e-003, A14=0.00000e+000
第12面
K=-2.92093e+000, A3=-7.14420e-002, A4=-3.41254e-001, 
A5=3.68325e-001, A6=-2.69803e-001, A8=9.93874e-002, 
A10=-1.96777e-002, A12=1.33253e-003, A14=0.00000e+000
第13面
K=-2.13816e+000, A3=3.31706e-002, A4=-2.71094e-001, 
A5=1.37274e-001, A6=-4.95022e-002, A8=6.95182e-003, 
A10=6.40153e-003, A12=-2.02137e-003, A14=1.40635e-004
第14面
K=-7.97432e+001, A3=2.83515e-002, A4=4.51436e-002, 
A5=-1.14595e-001, A6=8.66370e-002, A8=-4.36467e-002, 
A10=1.65817e-002, A12=-3.57472e-003, A14=3.46104e-004
第15面
K=-6.84343e+000, A3=-3.72253e-002, A4=-8.26052e-002, 
A5=9.87743e-002, A6=-1.12312e-002, A8=-1.75794e-002, 
A10=6.75883e-003, A12=-1.08801e-003, A14=6.54569e-005
第16面
K=7.96137e+001, A3=-8.98099e-002, A4=-9.22669e-002, 
A5=3.26750e-002, A6=2.22238e-002, A8=-2.53460e-003, 
A10=-3.34788e-004, A12=7.56831e-005, A14=-3.86230e-006
第17面
K=-6.46364e+000, A3=1.49818e-004, A4=-1.42290e-001, 
A5=1.12197e-001, A6=-3.04811e-002, A8=1.31927e-003, 
A10=-2.22673e-004, A12=3.03972e-005, A14=-1.32693e-006
【００８２】
実施例４の撮像レンズの特性を以下に列挙する。
FL        3.793
Fno       1.44
w        75.44
Ymax      2.921
BF        0.917
TL        5.375
BFa       0.879
TLa       5.337
【００８３】
実施例４の単レンズデータを以下の表１２に示す。
〔表１２〕
Elem   Surfs   Focal Length    Diameter
1     2- 3      3.5372        2.610
2     5- 6     -4.8250        2.264
3     8- 9     25.3105        2.412
4    10-11   1691.5727        3.061
5    12-13     10.0455        3.442
6    14-15      2.0637        3.959
7    16-17     -1.6287        5.376
【００８４】
図１１は、実施例４の撮像レンズ１４等の断面図である。撮像レンズ１４は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で弱い正の屈折力を有する略平板の第３レンズＬ３と、光軸ＡＸ周辺で弱い正の屈折力を有し物体側に凸面を向けたメニスカスの第４レンズＬ４と、光軸ＡＸ周辺で正の屈折力を有し物体側に凸面を向けたメニスカスの第５レンズＬ５と、光軸ＡＸ周辺で正の屈折力を有し像側に凸面を向けたメニスカスの第６レンズＬ６と、光軸ＡＸ周辺で負の屈折力を有し像側に凹面を向けた略平凹の第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第２及び第３レンズＬ２，Ｌ３の間とには、遮光絞りＦＳが配置されている。
【００８５】
図１２（Ａ）〜１２（Ｃ）は、実施例４の撮像レンズ１４の諸収差図（球面収差、非点収差、歪曲収差）を示し、図１２（Ｄ）及び１２（Ｅ）は、実施例４の撮像レンズ１４の横収差を示している。
【００８６】
〔実施例５〕
実施例５のレンズ面のデータを以下の表１３に示す。
〔表１３〕
面番号    r           d        nd       vd     eff. dia.
1 FS  INFINITY     -0.2000                     2.700
2*      1.7926      0.7626   1.54470   56      2.625
3*   -113.1622      0.0500                     2.469
4*      2.0165      0.1500   1.64250   22.5    2.266
5*      1.2311      0.3674                     2.020
STO    INFINITY      0.0000                     2.018
7*      4.9714      0.1916   1.54470   56      1.984
8*      4.3740      0.1263                     2.117
9 FS  INFINITY      0.1000                     2.300
10*      7.2467      0.6640   1.54470   56      2.353
11*     17.5412      0.1156                     2.897
12*      9.4860      0.2000   1.63469   23.9    3.275
13*      7.6337      0.2788                     3.347
14*      4.8348      0.5099   1.54470   56      3.683
15*     -1.9176      0.2670                     4.073
16*     16.6282      0.3070   1.54470   56      4.440
17*      1.1354      0.7000                     4.979
18     INFINITY      0.1100   1.51633   64.1    5.731
19     INFINITY      0.0998
【００８７】
実施例５のレンズ面の非球面係数を以下の表１４に示す。
〔表１４〕
第2面
K=-7.32448e-001, A4=2.12231e-002, A6=6.01622e-003, 
A8=-4.42254e-003, A10=8.28630e-003, A12=-5.19321e-003, 
A14=1.46425e-003
第3面
K=2.28201e+001, A4=6.82123e-002, A6=-9.93415e-002, 
A8=1.09933e-001, A10=-7.95018e-002, A12=3.36150e-002, 
A14=-6.08554e-003
第4面
K=-1.26928e+001, A4=3.42206e-003, A6=-7.10144e-002, 
A8=7.46353e-002, A10=-3.63313e-002, A12=1.26443e-002, 
A14=-3.53992e-003
第5面
K=-4.48550e+000, A3=1.82361e-003, A4=3.33830e-003, 
A5=1.21468e-002, A6=4.89244e-002, A8=-1.25901e-001, 
A10=1.77743e-001, A12=-1.10878e-001, A14=3.09625e-002
第7面
K=-3.73773e+001, A3=-1.25000e-002, A4=3.00205e-002, 
A5=-1.74971e-001, A6=2.33954e-001, A8=-1.97628e-001, 
A10=1.32321e-001, A12=-6.23170e-002, A14=2.40171e-002
第8面
K=9.87345e+000, A3=-9.49519e-003, A4=-1.30748e-001, 
A5=2.64057e-003, A6=5.47750e-002, A8=-4.64005e-002, 
A10=-2.01369e-003, A12=9.48386e-003, A14=4.85948e-003
第10面
K=2.77556e+001, A3=-3.00569e-003, A4=-9.96057e-002, 
A5=4.90875e-003, A6=3.29525e-003, A8=-8.50991e-003, 
A10=-1.21297e-002, A12=1.19899e-002, A14=-1.27631e-003
第11面
K=-8.00000e+001, A3=-2.32217e-002, A4=-9.75271e-002, 
A5=8.65383e-002, A6=-1.05897e-001, A8=5.17257e-002, 
A10=-1.57755e-002, A12=2.73074e-003, 
第12面
K=2.53322e+001, A3=1.31110e-002, A4=-3.38542e-001, 
A5=3.76536e-001, A6=-2.61788e-001, A8=9.73605e-002, 
A10=-2.13223e-002, A12=1.55861e-003
第13面
K=1.44930e+001, A3=4.49894e-003, A4=-2.56010e-001, 
A5=1.53023e-001, A6=-4.93515e-002, A8=7.42384e-003, 
A10=6.52683e-003, A12=-2.39653e-003, A14=1.77958e-004
第14面
K=3.66614e+000, A3=-2.07704e-002, A4=3.71577e-002, 
A5=-1.33577e-001, A6=1.09656e-001, A8=-4.95926e-002, 
A10=1.56191e-002, A12=-2.48831e-003, A14=1.75730e-004
第15面
K=-1.92320e+001, A3=-1.17213e-001, A4=6.44529e-002, 
A5=4.54852e-002, A6=-1.75417e-002, A8=-1.54415e-002, 
A10=6.78594e-003, A12=-1.09352e-003, A14=5.85870e-005
第16面
K=8.56893e+000, A3=-2.17398e-001, A4=-4.20510e-002, 
A5=4.34765e-002, A6=2.12869e-002, A8=-3.70499e-003, 
A10=-3.61592e-004, A12=9.74898e-005, A14=-4.92407e-006
第17面
K=-6.13137e+000, A3=-1.08921e-001, A4=-5.65300e-002, 
A5=9.82497e-002, A6=-3.75212e-002, A8=2.17622e-003, 
A10=-1.88382e-004, A12=9.43182e-006, A14=6.05016e-007
【００８８】
実施例５の撮像レンズの特性を以下に列挙する。
FL        4.027
Fno       1.53
w        72.16
Ymax      2.921
BF        0.910
TL        5.000
BFa       0.872
TLa       4.962
【００８９】
実施例５の単レンズデータを以下の表１５に示す。
〔表１５〕
Elem   Surfs   Focal Length    Diameter
1     2- 3      3.2473        2.625
2     4- 5     -5.3172        2.266
3     7- 8    -75.3346        2.117
4    10-11     22.1651        2.897
5    12-13    -64.2873        3.347
6    14-15      2.5897        4.073
7    16-17     -2.2530        4.979
【００９０】
図１３は、実施例５の撮像レンズ１５等の断面図である。撮像レンズ１５は、物体側より順に、光軸ＡＸ周辺で正の屈折力を有し物体側に凸面を向けた略凸平の第１レンズＬ１と、光軸ＡＸ周辺で負の屈折力を有し物体側に凸面を向けたメニスカスの第２レンズＬ２と、光軸ＡＸ周辺で弱い負の屈折力を有し物体側に凸面を向けたメニスカスの第３レンズＬ３と、光軸ＡＸ周辺で弱い正の屈折力を有し物体側に凸面を向けたメニスカスの第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【００９１】
図１４（Ａ）〜１４（Ｃ）は、実施例５の撮像レンズ１５の諸収差図（球面収差、非点収差、歪曲収差）を示し、図１４（Ｄ）及び１４（Ｅ）は、実施例５の撮像レンズ１５の横収差を示している。
【００９２】
〔実施例６〕
実施例６のレンズ面のデータを以下の表１６に示す。
〔表１６〕
面番号    r           d        nd       vd     eff. dia.
1 FS  INFINITY      0.2000                     2.700
2*     -2.0889      0.2000   1.54000   45      2.687
3*     -2.3705      0.0500                     2.559
4*      2.1019      0.8219   1.54470   56      2.738
5*     -9.8545      0.1135                     2.620
STO    INFINITY      0.0000                     2.451
7*      3.4446      0.1500   1.63469   23.9    2.414
8*      1.7619      0.3002                     2.366
9 FS  INFINITY      0.0600                     2.400
10*      8.1526      0.5602   1.54470   56      2.504
11*     -8.1776      0.2165                     2.608
12*      4.5185      0.2227   1.63469   23.9    2.613
13*      2.9326      0.3031                     2.811
14*      6.6293      0.5568   1.54000   45      2.963
15*     -2.1898      0.4995                     3.416
16*     -2.1967      0.3375   1.54470   56      3.634
17*      2.9968      0.4000                     4.749
18     INFINITY      0.1100   1.51633   64.1    5.549
19     INFINITY      0.2190
【００９３】
実施例６のレンズ面の非球面係数を以下の表１７に示す。
〔表１７〕
第2面
K=0.00000e+000, A4=1.08204e-001, A6=1.53978e-003, 
A8=-5.54747e-003, A10=-1.38032e-003, A12=1.40192e-003, 
A14=-2.58567e-004
第3面
K=0.00000e+000, A4=1.19656e-001, A6=-1.43168e-003, 
A8=5.27745e-003, A10=-1.04529e-002, A12=4.89255e-003, 
A14=-8.88685e-004
第4面
K=5.20441e-001, A4=-5.21736e-003, A6=3.15703e-003, 
A8=-3.87144e-003, A10=3.81777e-003, A12=-2.00081e-003, 
A14=5.29976e-004
第5面
K=-5.23209e+001, A4=-2.53845e-002, A6=2.18393e-002, 
A8=-5.82485e-003, A10=-1.05535e-003, A12=2.37441e-003, 
A14=-5.73082e-004
第7面
K=-2.43451e+000, A4=-1.29226e-001, A6=6.22107e-002, 
A8=-3.85874e-003, A10=-2.94839e-002, A12=2.09031e-002, 
A14=-5.06646e-003
第8面
K=-5.78973e+000, A3=-2.43400e-003, A4=-6.17923e-003, 
A5=-6.35972e-002, A6=7.12797e-002, A8=-1.94436e-002, 
A10=1.56763e-003, A12=-9.26132e-004, A14=1.87076e-003
第10面
K=1.81668e+001, A3=-1.54944e-002, A4=6.26988e-002, 
A5=-1.67542e-001, A6=1.48364e-001, A8=-9.76793e-002, 
A10=6.94077e-002, A12=-3.56959e-002, A14=8.56531e-003
第11面
K=-8.00000e+001, A3=-7.37532e-003, A4=-1.20632e-001, 
A5=5.69881e-003, A6=4.55614e-002, A8=-4.80622e-002, 
A10=2.35559e-002, A12=-5.20555e-003
第12面
K=-4.93030e+001, A3=-8.92831e-003, A4=-2.90242e-001, 
A5=1.18840e-001, A6=-2.03222e-003, A8=-5.37660e-003, 
A10=-1.39227e-002, A12=7.82024e-003
第13面
K=2.95534e+000, A3=-1.83957e-002, A4=-3.44415e-001, 
A5=1.29030e-001, A6=3.67448e-002, A8=-4.05159e-002, 
A10=8.23677e-003, A12=-1.40783e-003, A14=5.95958e-004
第14面
K=-7.16002e+001, A3=-1.42797e-002, A4=-2.87050e-002, 
A5=1.64613e-002, A6=-3.37146e-002, A8=-2.75401e-003, 
A10=1.40095e-002, A12=-1.03709e-002, A14=2.16802e-003
第15面
K=-3.34228e+000, A3=-1.76392e-002, A4=2.81902e-002, 
A5=-2.74159e-003, A6=-2.48857e-002, A8=5.64171e-003, 
A10=2.35754e-003, A12=-3.21260e-004, A14=-7.28734e-005
第16面
K=-3.26893e+000, A3=-8.10578e-002, A4=-4.84912e-002, 
A5=1.35498e-002, A6=5.30193e-003, A8=9.34881e-004, 
A10=1.14921e-003, A12=-7.90249e-005, A14=-4.11113e-005
第17面
K=-7.81757e+001, A3=9.67677e-002, A4=-1.95207e-001, 
A5=1.10902e-001, A6=-2.49769e-002, A8=4.84382e-004, 
A10=-6.04934e-007, A12=-3.33133e-006, A14=3.09410e-007
【００９４】
実施例６の撮像レンズの特性を以下に列挙する。
FL        3.696
Fno       1.45
w        75.43
Ymax      2.921
BF        0.729
TL        5.321
BFa       0.692
TLa       5.283
【００９５】
実施例６の単レンズデータを以下の表１８に示す。
〔表１８〕
Elem   Surfs   Focal Length    Diameter
1     2- 3    -43.3748        2.687
2     4- 5      3.2594        2.738
3     7- 8     -5.8866        2.414
4    10-11      7.5868        2.608
5    12-13    -13.9241        2.811
6    14-15      3.1173        3.416
7    16-17     -2.2749        4.749
【００９６】
図１５は、実施例６の撮像レンズ１６等の断面図である。撮像レンズ１６は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【００９７】
図１６（Ａ）〜１６（Ｃ）は、実施例６の撮像レンズ１６の諸収差図（球面収差、非点収差、歪曲収差）を示し、図１６（Ｄ）及び１６（Ｅ）は、実施例６の撮像レンズ１６の横収差を示している。
【００９８】
〔実施例７〕
実施例７のレンズ面のデータを以下の表１９に示す。
〔表１９〕
面番号    r           d        nd       vd     eff. dia.
1 FS  INFINITY      0.0000                     2.700
2*      6.3046      0.2500   1.54470   56.2    2.625
3*     -9.4866      0.2399                     2.605
STO    INFINITY     -0.1899                     2.618
5*      6.1552      0.8055   1.54470   56.2    2.628
6*    -42.4798      0.0500                     2.367
7*      1.5502      0.1500   1.63469   23.9    2.231
8*      1.0815      0.4141                     2.183
9 FS  INFINITY      0.0000                     2.300
10*      6.7291      0.4966   1.54470   56.2    2.292
11*     -8.4855      0.2285                     2.502
12*    -12.5714      0.2841   1.63469   23.9    2.744
13*     19.5086      0.4216                     3.049
14*      4.1124      0.5854   1.54470   56.2    3.466
15*     -2.2595      0.3348                     3.777
16*      3.1012      0.3196   1.54470   56.2    4.581
17*      0.9193      0.7000                     5.238
18     INFINITY      0.1100   1.51633   64.1    5.732
19     INFINITY      0.1036
【００９９】
実施例７のレンズ面の非球面係数を以下の表２０に示す。
〔表２０〕
第2面
K=-3.18132e+000, A4=-8.42749e-002, A6=2.98151e-002, 
A8=1.20225e-002, A10=-9.90738e-003, A12=3.15687e-003, 
A14=-4.83089e-004
第3面
K=0.00000e+000, A4=8.18853e-003, A6=-7.39367e-003, 
A8=1.71372e-002, A10=-4.04286e-003
第5面
K=0.00000e+000, A4=1.22121e-001, A6=-5.88922e-002, 
A8=2.16243e-002, A10=1.88365e-003, A12=-4.10725e-003, 
A14=1.23043e-003
第6面
K=-8.00000e+001, A4=8.97433e-002, A6=-1.43315e-001, 
A8=1.22827e-001, A10=-6.63551e-002, A12=2.48543e-002, 
A14=-4.86280e-003
第7面
K=-9.98047e+000, A4=-3.05894e-002, A6=-8.63774e-002, 
A8=6.45443e-002, A10=-2.29745e-002, A12=7.02732e-003, 
A14=-3.54185e-003
第8面
K=-5.00816e+000, A3=6.20312e-005, A4=-3.57506e-002, 
A5=-8.86682e-003, A6=5.27635e-002, A8=-1.28898e-001, 
A10=1.69685e-001, A12=-1.10465e-001, A14=2.74896e-002
第10面
K=2.92067e+001, A3=-2.25310e-002, A4=7.14700e-002, 
A5=-2.64148e-001, A6=2.63231e-001, A8=-1.82365e-001, 
A10=1.22328e-001, A12=-6.69479e-002, A14=1.37178e-002
第11面
K=-7.41328e+000, A3=2.78211e-002, A4=-1.76722e-001, 
A5=1.10775e-001, A6=-6.83699e-002, A8=2.50527e-002, 
A10=-1.16384e-002, A12=6.71983e-004
第12面
K=8.00000e+001, A3=7.44190e-002, A4=-4.75423e-001, 
A5=4.00836e-001, A6=-2.07634e-001, A8=1.07831e-001, 
A10=-2.43620e-002, A12=-6.00379e-004
第13面
K=-8.00000e+001, A3=3.49696e-002, A4=-3.40559e-001, 
A5=1.72525e-001, A6=-1.46331e-002, A8=1.31068e-002, 
A10=2.27015e-003, A12=-3.11352e-003, A14=2.70093e-004
第14面
K=9.68760e-002, A3=-1.09570e-002, A4=3.61112e-002, 
A5=-1.33785e-001, A6=8.78463e-002, A8=-3.80285e-002, 
A10=1.52616e-002, A12=-3.49773e-003, A14=3.26590e-004
第15面
K=-1.85389e+001, A3=-8.90869e-002, A4=5.49142e-002, 
A5=1.93718e-002, A6=-3.00384e-002, A8=-1.02180e-002, 
A10=7.54221e-003, A12=-1.23949e-003, A14=4.71979e-005
第16面
K=-4.32755e+001, A3=-1.87586e-001, A4=-1.21890e-001, 
A5=6.61914e-002, A6=2.75434e-002, A8=-4.72995e-003, 
A10=-4.37315e-004, A12=1.32823e-004, A14=-7.74779e-006
第17面
K=-3.90456e+000, A3=-1.42503e-001, A4=-7.46234e-002, 
A5=1.17662e-001, A6=-3.72449e-002, A8=1.21959e-003, 
A10=-1.07047e-004, A12=1.44805e-005, A14=-5.73559e-007
【０１００】
実施例７の撮像レンズの特性を以下に列挙する。
FL        3.756
Fno       1.43
w        75.39
Ymax      2.921
BF        0.914
TL        5.304
BFa       0.876
TLa       5.266
【０１０１】
実施例７の単レンズデータを以下の表２１に示す。
〔表２１〕
Elem   Surfs   Focal Length    Diameter
1     2- 3      6.9924        2.625
2     5- 6      9.9281        2.628
3     7- 8     -6.4349        2.231
4    10-11      6.9702        2.502
5    12-13    -12.0039        3.049
6    14-15      2.7668        3.777
7    16-17     -2.5293        5.238
【０１０２】
図１７は、実施例７の撮像レンズ１７等の断面図である。撮像レンズ１７は、物体側より順に、光軸ＡＸ周辺で正の屈折力を有する両凸の第１レンズＬ１と、光軸ＡＸ周辺で正の屈折力を有し物体側に凸面を向けた略凸平の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で負の屈折力を有する両凹の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【０１０３】
図１８（Ａ）〜１８（Ｃ）は、実施例７の撮像レンズ１７の諸収差図（球面収差、非点収差、歪曲収差）を示し、図１８（Ｄ）及び１８（Ｅ）は、実施例７の撮像レンズ１７の横収差を示している。
【０１０４】
〔実施例８〕
実施例８のレンズ面のデータを以下の表２２に示す。
〔表２２〕
面番号    r           d        nd       vd     eff. dia.
1 FS  INFINITY      0.1200                     2.719
2*     -2.6118      0.2000   1.54000   45      2.710
3*     -2.9734      0.3803                     2.571
4 FS  INFINITY     -0.3303                     2.658
5*      1.9042      0.8622   1.54470   56      2.735
6*    -14.3008      0.0000                     2.634
STO    INFINITY      0.1286                     2.548
8*      7.0726      0.1500   1.63469   23.9    2.410
9*      2.2078      0.3030                     2.214
10 FS  INFINITY      0.0000                     2.240
11*      5.5742      0.4916   1.54470   56      2.364
12*    -32.1022      0.2345                     2.458
13*      3.0804      0.2000   1.63469   23.9    2.478
14*      2.6279      0.2870                     2.674
15*      6.6362      0.3426   1.54000   45      2.800
16*     -2.9087      0.6350                     3.211
17*     -2.3861      0.3227   1.54470   56      3.671
18*      3.2217      0.4000                     4.617
19     INFINITY      0.1100   1.51633   64.1    5.600
20     INFINITY      0.1648
【０１０５】
実施例８のレンズ面の非球面係数を以下の表２３に示す。
〔表２３〕
第2面
K=0.00000e+000, A4=8.66377e-002, A6=3.41365e-003, 
A8=-3.10253e-003, A10=-1.32314e-003, A12=8.49806e-004, 
A14=-1.57371e-004
第3面
K=0.00000e+000, A4=9.89752e-002, A6=1.97075e-003, 
A8=7.77106e-003, A10=-1.02422e-002, A12=5.24427e-003, 
A14=-1.11775e-003
第5面
K=2.05205e-001, A4=-6.38897e-003, A6=9.70827e-004, 
A8=-4.41012e-003, A10=3.72338e-003, A12=-1.82964e-003, 
A14=3.80674e-004
第6面
K=4.04715e+001, A4=-3.44214e-002, A6=1.97723e-002, 
A8=-2.55265e-003, A10=-1.51412e-003, A12=1.02973e-003, 
A14=-9.06250e-005
第8面
K=1.13228e+001, A4=-1.13344e-001, A6=7.67389e-002, 
A8=-4.98718e-003, A10=-3.10363e-002, A12=2.01553e-002, 
A14=-4.28410e-003
第9面
K=-7.55781e+000, A3=-3.06228e-003, A4=1.07611e-003, 
A5=-5.09050e-002, A6=8.60696e-002, A8=-1.79738e-002, 
A10=-1.85391e-003, A12=-2.35451e-004, A14=2.87368e-003
第11面
K=1.21089e+001, A3=-1.78166e-002, A4=5.60649e-002, 
A5=-1.74922e-001, A6=1.51516e-001, A8=-9.35294e-002, 
A10=6.96969e-002, A12=-3.57119e-002, A14=9.35937e-003
第12面
K=-7.67350e+001, A3=-1.16000e-002, A4=-9.65332e-002, 
A5=1.16432e-002, A6=3.14841e-002, A8=-5.38177e-002, 
A10=2.92519e-002, A12=-5.95350e-003
第13面
K=-1.76118e+001, A3=-1.66768e-002, A4=-2.82736e-001, 
A5=1.18434e-001, A6=-5.69067e-003, A8=-2.08740e-002, 
A10=-1.56115e-002, A12=9.87586e-003
第14面
K=2.57198e+000, A3=-2.17822e-002, A4=-3.71147e-001, 
A5=1.25519e-001, A6=3.41324e-002, A8=-4.20787e-002, 
A10=5.95502e-003, A12=-2.53658e-003, A14=1.14333e-003
第15面
K=-6.89757e+001, A3=-3.37431e-002, A4=-1.10107e-002, 
A5=-1.37735e-002, A6=-5.65327e-002, A8=1.22081e-002, 
A10=2.08289e-002, A12=-2.00191e-002, A14=4.40044e-003
第16面
K=-1.38743e+001, A3=-3.96781e-002, A4=-2.34418e-003, 
A5=-7.77839e-003, A6=-2.94887e-002, A8=1.16843e-002, 
A10=3.62369e-003, A12=-6.35622e-004, A14=-1.86518e-004
第17面
K=-3.13432e-001, A3=-1.10807e-001, A4=-6.36104e-002, 
A5=4.02999e-002, A6=1.64647e-002, A8=-8.18427e-004, 
A10=5.80182e-004, A12=-2.17031e-004, A14=7.91834e-006
第18面
K=-8.00000e+001, A3=2.20638e-002, A4=-1.44001e-001, 
A5=1.00504e-001, A6=-2.62785e-002, A8=8.72918e-004, 
A10=-4.66588e-005, A12=-1.10324e-005, A14=1.98010e-006
【０１０６】
実施例８の撮像レンズの特性を以下に列挙する。
FL        3.695
Fno       1.45
w        75.43
Ymax      2.921
BF        0.675
TL        5.002
BFa       0.637
TLa       4.964
【０１０７】
実施例８の単レンズデータを以下の表２４に示す。
〔表２４〕
Elem   Surfs   Focal Length    Diameter
1     2- 3    -49.3261        2.710
2     5- 6      3.1440        2.735
3     8- 9     -5.1185        2.410
4    11-12      8.7598        2.458
5    13-14    -34.0261        2.674
6    15-16      3.7927        3.211
7    17-18     -2.4666        4.617
【０１０８】
図１９は、実施例８の撮像レンズ１８等の断面図である。撮像レンズ１８は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有し物体側に凸面を向けた略凸平の第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第１及び第２レンズＬ１，Ｌ２の間とには、遮光絞りＦＳが配置されている。
【０１０９】
図２０（Ａ）〜２０（Ｃ）は、実施例８の撮像レンズ１８の諸収差図（球面収差、非点収差、歪曲収差）を示し、図２０（Ｄ）及び２０（Ｅ）は、実施例８の撮像レンズ１８の横収差を示している。
【０１１０】
〔実施例９〕
実施例９のレンズ面のデータを以下の表２５に示す。
〔表２５〕
面番号    r           d          nd     vd     eff. dia.
1 FS  INFINITY      0.1900                     2.720
2*     -2.0640      0.3010   1.54000   45      2.702
3*     -2.5035      0.2330                     2.303
STO    INFINITY     -0.0800                     2.369
5*      2.2172      0.8051   1.54470   56      2.550
6*     -3.9551      0.0500                     2.533
7 FS  INFINITY      0.0000                     2.400
8*      2.6308      0.1500   1.63469   23.9    2.418
9*      1.4371      0.3675                     2.533
10*     -3e+003      0.5420   1.54470   56      2.602
11*     -4.6031      0.1093                     2.620
12*      3.1977      0.2000   1.63469   23.9    2.543
13*      2.0191      0.3014                     2.699
14*      4.9249      0.4349   1.54000   45      2.816
15*     -2.1746      0.5174                     3.152
16*     -4.7441      0.3164   1.54470   56      3.711
17*      1.9953      0.4000                     4.616
18     INFINITY      0.1100   1.51633   64.1    5.391
19     INFINITY      0.2534
【０１１１】
実施例９のレンズ面の非球面係数を以下の表２６に示す。
〔表２６〕
第2面
K=0.00000e+000, A4=1.18496e-001, A6=-1.08715e-002, 
A8=6.53424e-004, A10=-1.87619e-003, A12=1.05565e-003, 
A14=-1.99488e-004
第3面
K=0.00000e+000, A4=1.30967e-001, A6=-3.82055e-003, 
A8=1.83699e-003, A10=-1.74657e-003, A12=1.37785e-003, 
A14=-4.68160e-004
第5面
K=-1.58016e-001, A4=-7.22487e-003, A6=1.96485e-003, 
A8=-3.49944e-003, A10=2.38231e-003, A12=-8.74902e-004, 
A14=-3.10344e-005
第6面
K=3.99718e+000, A4=5.42379e-003, A6=4.64837e-003, 
A8=-5.51843e-003, A10=2.98692e-003, A12=-3.23195e-004, 
A14=-1.38998e-004
第8面
K=-8.84856e-001, A4=-1.25294e-001, A6=5.26371e-002, 
A8=-5.16284e-003, A10=-2.93759e-002, A12=1.95055e-002, 
A14=-4.41679e-003
第9面
K=-3.20126e+000, A3=-1.01762e-002, A4=-1.51424e-002, 
A5=-6.73742e-002, A6=8.69116e-002, A8=-2.69992e-002, 
A10=-3.12997e-003, A12=3.46931e-003, A14=-1.13281e-003
第10面
K=-8.00000e+001, A3=-3.37845e-003, A4=9.41367e-002, 
A5=-1.62505e-001, A6=1.41797e-001, A8=-9.17879e-002, 
A10=7.39969e-002, A12=-3.12384e-002, A14=4.92381e-003
第11面
K=-5.84934e+001, A3=-1.92715e-003, A4=-9.41768e-002, 
A5=7.52025e-003, A6=2.74069e-002, A8=-5.21631e-002, 
A10=3.31542e-002, A12=-5.89766e-003
第12面
K=-1.21120e+001, A3=-2.45539e-002, A4=-2.69353e-001, 
A5=1.18346e-001, A6=1.63695e-002, A8=-3.13570e-002, 
A10=-1.95222e-002, A12=1.38046e-002
第13面
K=1.05933e+000, A3=-1.96768e-002, A4=-4.07223e-001, 
A5=1.73465e-001, A6=3.43064e-002, A8=-5.56597e-002, 
A10=9.01372e-003, A12=-1.45351e-003, A14=9.96933e-004
第14面
K=-1.22865e+000, A3=-2.14395e-002, A4=-6.76967e-003, 
A5=-2.41383e-002, A6=-4.07694e-002, A8=9.68868e-004, 
A10=2.41787e-002, A12=-1.91126e-002, A14=3.95700e-003
第15面
K=-4.91745e+000, A3=-1.15474e-002, A4=2.44653e-002, 
A5=9.82954e-003, A6=-5.62544e-002, A8=1.08070e-002, 
A10=5.84553e-003, A12=-9.12457e-004, A14=-2.11530e-004
第16面
K=6.05456e-001, A3=-1.24505e-001, A4=-6.21168e-002, 
A5=2.61098e-002, A6=1.75575e-002, A8=1.30561e-003, 
A10=1.17113e-004, A12=-3.16955e-004, A14=3.79497e-005
第17面
K=-2.31247e+001, A3=4.10107e-002, A4=-1.76061e-001, 
A5=1.24745e-001, A6=-3.32487e-002, A8=6.17052e-004, 
A10=1.19239e-004, A12=-2.82415e-005, A14=2.46103e-006
【０１１２】
実施例９の撮像レンズの特性を以下に列挙する。
FL        3.235
Fno       1.45
w        83.95
Ymax      2.921
BF        0.763
TL        5.201
BFa       0.726
TLa       5.164
【０１１３】
実施例９の単レンズデータを以下の表２７に示す。
〔表２７〕
Elem   Surfs   Focal Length    Diameter
1     2- 3    -28.6566        2.702
2     5- 6      2.7341        2.550
3     8- 9     -5.2461        2.533
4    10-11      8.4631        2.620
5    12-13     -9.2400        2.699
6    14-15      2.8548        3.152
7    16-17     -2.5366        4.616
【０１１４】
図２１は、実施例９の撮像レンズ１９等の断面図である。撮像レンズ１９は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有し像側に凸面を向けた略平凸の第４レンズＬ４と、光軸ＡＸ周辺で負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第２及び第３レンズＬ２，Ｌ３の間とには、遮光絞りＦＳが配置されている。
【０１１５】
図２２（Ａ）〜２２（Ｃ）は、実施例９の撮像レンズ１９の諸収差図（球面収差、非点収差、歪曲収差）を示し、図２２（Ｄ）及び２２（Ｅ）は、実施例９の撮像レンズ１９の横収差を示している。
【０１１６】
〔実施例１０〕
実施例１０のレンズ面のデータを以下の表２８に示す。
〔表２８〕
面番号    r           d        nd       vd     eff. dia.
1 FS  INFINITY      0.1500                     2.700
2*     -4.1482      0.3069   1.54470   56      2.573
3*     -5.3036      0.2479                     2.471
STO    INFINITY     -0.1979                     2.480
5*      2.1867      0.7201   1.54470   56      2.598
6*     -9.4776      0.0533                     2.524
7*      3.2637      0.1591   1.63469   23.9    2.407
8*      1.6582      0.3000                     2.403
9 FS  INFINITY     -0.0300                     2.360
10*      4.9743      0.4519   1.54470   56      2.472
11*    -19.1666      0.3289                     2.503
12*      2.6601      0.2042   1.63469   23.9    2.453
13*      2.2169      0.3338                     2.645
14*      7.6349      0.7167   1.54470   56      2.800
15*     -2.0275      0.4107                     3.300
16*     -3.5168      0.3493   1.54470   56      3.480
17*      1.8358      0.4000                     4.760
18     INFINITY      0.1100   1.51633   64.1    5.600
19     INFINITY      0.2649
【０１１７】
実施例１０のレンズ面の非球面係数を以下の表２９に示す。
〔表２９〕
第2面
K=0.00000e+000, A4=5.96877e-002, A6=-1.15602e-003, 
A8=-9.60282e-004, A10=-3.09630e-003, A12=1.44483e-003, 
A14=-2.28463e-004
第3面
K=0.00000e+000, A4=9.04162e-002, A6=-1.93363e-003, 
A8=3.49298e-003, A10=-4.32480e-003, A12=-3.27685e-004, 
A14=2.18563e-004
第5面
K=2.79466e-001, A4=-1.22985e-004, A6=1.10119e-003, 
A8=-8.40028e-004, A10=2.41108e-003, A12=-1.32580e-003, 
A14=2.79306e-004
第6面
K=3.66669e+001, A4=-1.83739e-002, A6=1.96437e-002, 
A8=-4.93325e-003, A10=1.92883e-003, A12=-2.82615e-004, 
A14=1.48358e-005
第7面
K=-1.37230e+000, A4=-1.27878e-001, A6=5.49794e-002, 
A8=-5.58528e-003, A10=-3.18575e-002, A12=1.85001e-002, 
A14=-4.26671e-003
第8面
K=-4.10535e+000, A3=-9.49133e-003, A4=-1.73177e-002, 
A5=-6.85814e-002, A6=8.21449e-002, A8=-2.92922e-002, 
A10=-3.39264e-003, A12=3.13129e-003, A14=-5.58880e-004
第10面
K=-1.47619e+001, A3=-2.34465e-002, A4=9.12355e-002, 
A5=-1.58548e-001, A6=1.40968e-001, A8=-9.82761e-002, 
A10=7.27274e-002, A12=-2.95451e-002, A14=4.72464e-003
第11面
K=-8.00000e+001, A3=-8.73072e-003, A4=-7.62082e-002, 
A5=1.17446e-002, A6=2.39115e-002, A8=-5.41515e-002, 
A10=3.19100e-002, A12=-5.54421e-003
第12面
K=-1.36579e+001, A3=6.48169e-003, A4=-2.54841e-001, 
A5=1.17885e-001, A6=1.14566e-002, A8=-3.24245e-002, 
A10=-1.94061e-002, A12=1.18033e-002
第13面
K=1.47635e+000, A3=1.14752e-002, A4=-4.01103e-001, 
A5=1.69711e-001, A6=3.15451e-002, A8=-5.44365e-002, 
A10=9.05868e-003, A12=-1.25098e-003, A14=1.14482e-003
第14面
K=7.69308e+000, A3=-2.45655e-003, A4=-5.10921e-002, 
A5=-1.74267e-002, A6=-1.59404e-002, A8=-1.19933e-002, 
A10=2.64976e-002, A12=-1.67167e-002, A14=3.22577e-003
第15面
K=-6.53250e+000, A3=-6.40765e-003, A4=-1.04050e-002, 
A5=1.08573e-002, A6=-4.68058e-002, A8=1.22102e-002, 
A10=3.54713e-003, A12=-1.45410e-003, A14=1.06181e-004
第16面
K=2.37754e+000, A3=-6.76175e-002, A4=-1.09426e-001, 
A5=2.83541e-002, A6=2.10496e-002, A8=9.86885e-004, 
A10=1.47129e-004, A12=-3.14647e-004, A14=7.01794e-005
第17面
K=-1.48036e+001, A3=2.43759e-002, A4=-1.75141e-001, 
A5=1.24696e-001, A6=-3.05571e-002, A8=-1.66295e-004, 
A10=2.62886e-004, A12=-3.66610e-005, A14=1.79919e-006
【０１１８】
実施例１０の撮像レンズの特性を以下に列挙する。
FL        3.613
Fno       1.49
w        76.69
Ymax      2.921
BF        0.775
TL        5.280
BFa       0.737
TLa       5.242
【０１１９】
実施例１０の単レンズデータを以下の表３０に示す。
〔表３０〕
Elem   Surfs   Focal Length    Diameter
1     2- 3    -38.5706        2.573
2     5- 6      3.3345        2.598
3     7- 8     -5.5236        2.407
4    10-11      7.2987        2.503
5    12-13    -25.5295        2.645
6    14-15      3.0202        3.300
7    16-17     -2.1646        4.760
【０１２０】
図２３は、実施例１０の撮像レンズ２０等の断面図である。撮像レンズ２０は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【０１２１】
図２４（Ａ）〜２４（Ｃ）は、実施例１０の撮像レンズ２０の諸収差図（球面収差、非点収差、歪曲収差）を示し、図２４（Ｄ）及び２４（Ｅ）は、実施例１０の撮像レンズ２０の横収差を示している。
【０１２２】
〔実施例１１〕
実施例１１のレンズ面のデータを以下の表３１に示す。
〔表３１〕
面番号    r           d        nd       vd     eff. dia.
1 FS  INFINITY      0.0000                     2.700
2*      3.0877      0.2429   1.54470   56      2.625
3*     10.0569      0.0500                     2.537
4*      3.8007      0.6008   1.54470   56      2.584
5*    -38.7267      0.1500                     2.488
STO    INFINITY     -0.1000                     2.356
7*      1.5698      0.1500   1.64250   22.5    2.301
8*      1.0947      0.4196                     2.113
9 FS  INFINITY      0.1000                     2.160
10*      8.9139      0.4687   1.54470   56      2.260
11*    -11.1215      0.2354                     2.478
12*    -12.0730      0.3091   1.64250   22.5    2.736
13*    155.8189      0.2481                     3.052
14*      5.3402      0.6051   1.54470   56      3.268
15*     -2.3027      0.2949                     3.772
16*      3.5400      0.3154   1.54470   56      4.487
17*      0.9517      0.7000                     4.998
18     INFINITY      0.1100   1.51633   64.1    5.800
19     INFINITY      0.0998
【０１２３】
実施例１１のレンズ面の非球面係数を以下の表３２に示す。
〔表３２〕
第2面
K=3.14469e+000, A4=-6.95429e-002, A6=1.31284e-002, 
A8=1.63304e-002, A10=-9.21230e-003, A12=3.19837e-003, 
A14=-8.18358e-004
第3面
K=0.00000e+000, A4=2.58570e-002, A6=-8.95477e-003, 
A8=1.95481e-002, A10=-1.45187e-003
第4面
K=0.00000e+000, A4=1.28437e-001, A6=-5.40014e-002, 
A8=1.69899e-002, A10=3.32878e-003, A12=-4.10499e-003, 
A14=1.28852e-003
第5面
K=-7.99672e+001, A4=1.11510e-001, A6=-1.57728e-001, 
A8=1.20500e-001, A10=-6.74656e-002, A12=2.67600e-002, 
A14=-4.86280e-003
第7面
K=-1.03254e+001, A4=-1.90187e-002, A6=-8.38271e-002, 
A8=5.85852e-002, A10=-1.32169e-002, A12=6.99676e-003, 
A14=-3.54185e-003
第8面
K=-5.18781e+000, A3=1.38754e-003, A4=-2.37274e-002, 
A5=-3.20132e-003, A6=5.23434e-002, A8=-1.27542e-001, 
A10=1.74784e-001, A12=-1.04428e-001, A14=2.54802e-002
第10面
K=4.29327e+001, A3=-2.62788e-002, A4=7.21461e-002, 
A5=-2.60745e-001, A6=2.51901e-001, A8=-1.73488e-001, 
A10=1.23271e-001, A12=-7.38758e-002, A14=1.94337e-002
第11面
K=3.04695e+001, A3=2.32952e-002, A4=-1.88217e-001, 
A5=1.02995e-001, A6=-5.89021e-002, A8=2.71134e-002, 
A10=-1.63347e-002, A12=2.80196e-003
第12面
K=7.30212e+001, A3=9.58973e-002, A4=-4.80614e-001, 
A5=3.96710e-001, A6=-2.12112e-001, A8=1.07657e-001, 
A10=-2.35607e-002, A12=-7.15687e-004
第13面
K=5.79513e+001, A3=7.30018e-002, A4=-3.61439e-001, 
A5=1.67587e-001, A6=-1.34589e-002, A8=1.20160e-002, 
A10=2.99846e-003, A12=-2.61492e-003, A14=9.51885e-005
第14面
K=7.80952e+000, A3=-1.80172e-002, A4=3.57360e-002, 
A5=-1.29570e-001, A6=7.05478e-002, A8=-3.21922e-002, 
A10=1.38504e-002, A12=-4.03986e-003, A14=5.43929e-004
第15面
K=-1.58022e+001, A3=-1.14890e-001, A4=1.32161e-001, 
A5=-1.39512e-002, A6=-3.92826e-002, A8=-5.44582e-003, 
A10=7.43779e-003, A12=-1.47065e-003, A14=8.18453e-005
第16面
K=-7.87638e+001, A3=-1.82043e-001, A4=-1.37148e-001, 
A5=7.15714e-002, A6=2.93848e-002, A8=-4.85530e-003, 
A10=-4.60160e-004, A12=1.31370e-004, A14=-7.23796e-006
第17面
K=-5.01194e+000, A3=-1.18906e-001, A4=-7.87955e-002, 
A5=1.07798e-001, A6=-3.49386e-002, A8=1.66878e-003, 
A10=-1.65037e-004, A12=3.77975e-006, A14=1.32544e-006
【０１２４】
実施例１１の撮像レンズの特性を以下に列挙する。
FL        3.786
Fno       1.44
w        74.22
Ymax      2.921
BF        0.910
TL        5.000
BFa       0.872
TLa       4.962
【０１２５】
実施例１１の単レンズデータを以下の表３３に示す。
〔表３３〕
Elem   Surfs   Focal Length    Diameter
1     2- 3      8.0809        2.625
2     4- 5      6.3857        2.584
3     7- 8     -6.4234        2.301
4    10-11      9.1595        2.478
5    12-13    -17.4268        3.052
6    14-15      3.0386        3.772
7    16-17     -2.4971        4.998
【０１２６】
図２５は、実施例１１の撮像レンズ２１等の断面図である。撮像レンズ２１は、物体側より順に、光軸ＡＸ周辺で正の屈折力を有し物体側に凸面を向けたメニスカスの第１レンズＬ１と、光軸ＡＸ周辺で正の屈折力を有し物体側に凸面を向けた略凸平の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で負の屈折力を有し物体側に凹面を向けた略凹平の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【０１２７】
図２６（Ａ）〜２６（Ｃ）は、実施例１１の撮像レンズ２１の諸収差図（球面収差、非点収差、歪曲収差）を示し、図２６（Ｄ）及び２６（Ｅ）は、実施例１１の撮像レンズ２１の横収差を示している。
【０１２８】
〔実施例１２〕
実施例１２のレンズ面のデータを以下の表３４に示す。
〔表３４〕
面番号    r           d        nd       vd     eff. dia.
STO    INFINITY      0.0000                     2.625
2*      3.9844      0.2500   1.54470   56.2    2.625
3*    -30.0690      0.0500                     2.546
4*      6.0010      0.8255   1.54470   56.2    2.595
5*    -59.5129      0.0500                     2.362
6*      1.7173      0.1500   1.63469   23.9    2.222
7*      1.1598      0.3360                     2.239
8 FS  INFINITY      0.0700                     2.240
9*      7.3807      0.4852   1.54470   56.2    2.345
10*     -8.1001      0.1857                     2.535
11*    -11.5969      0.2009   1.63469   23.9    2.719
12*     76.2965      0.4224                     2.980
13*      4.1635      0.4970   1.54470   56.2    3.487
14*     -2.9703      0.3533                     3.916
15*      2.7197      0.3145   1.54470   56.2    4.669
16*      0.9380      0.7000                     5.118
17     INFINITY      0.1100   1.51633   64.1    5.749
18     INFINITY      0.1000
【０１２９】
実施例１２のレンズ面の非球面係数を以下の表３５に示す。
〔表３５〕
第2面
K=4.75904e+000, A4=-7.08543e-002, A6=2.55215e-002, 
A8=1.38998e-002, A10=-9.41272e-003, A12=3.29702e-003, 
A14=-6.31931e-004
第3面
K=0.00000e+000, A4=4.35606e-002, A6=-9.54602e-003, 
A8=1.85383e-002, A10=-1.40441e-003
第4面
K=0.00000e+000, A4=1.30180e-001, A6=-5.58269e-002, 
A8=1.60864e-002, A10=4.04500e-003, A12=-3.62188e-003, 
A14=9.01883e-004
第5面
K=8.00000e+001, A4=9.01890e-002, A6=-1.49124e-001, 
A8=1.23306e-001, A10=-6.63402e-002, A12=2.44064e-002, 
A14=-4.86280e-003
第6面
K=-1.21402e+001, A4=-2.39782e-002, A6=-8.57697e-002, 
A8=6.26993e-002, A10=-2.05358e-002, A12=6.11980e-003, 
A14=-3.54185e-003
第7面
K=-5.47502e+000, A3=-2.60490e-003, A4=-3.00630e-002, 
A5=-5.35854e-003, A6=5.34571e-002, A8=-1.28165e-001, 
A10=1.69419e-001, A12=-1.10209e-001, A14=2.73640e-002
第9面
K=3.57434e+001, A3=-1.96169e-002, A4=6.63363e-002, 
A5=-2.56825e-001, A6=2.55907e-001, A8=-1.76594e-001, 
A10=1.25144e-001, A12=-7.10711e-002, A14=1.46368e-002
第10面
K=-4.02829e+001, A3=3.52067e-002, A4=-1.76533e-001, 
A5=9.55274e-002, A6=-6.44083e-002, A8=3.07867e-002, 
A10=-1.38879e-002, A12=4.93146e-004
第11面
K=7.08494e+001, A3=8.14154e-002, A4=-4.95365e-001, 
A5=3.98250e-001, A6=-2.00913e-001, A8=1.13885e-001, 
A10=-2.31332e-002, A12=-2.02245e-003
第12面
K=-8.00000e+001, A3=3.31536e-002, A4=-3.67414e-001, 
A5=1.78404e-001, A6=-5.72966e-003, A8=1.56134e-002, 
A10=3.66127e-003, A12=-3.11167e-003, A14=-1.43138e-004
第13面
K=1.41456e+000, A3=-1.51148e-002, A4=3.96559e-002, 
A5=-1.33805e-001, A6=8.70433e-002, A8=-3.59301e-002, 
A10=1.38929e-002, A12=-3.62507e-003, A14=4.30313e-004
第14面
K=-3.53240e+001, A3=-1.08710e-001, A4=9.12049e-002, 
A5=5.94547e-003, A6=-3.25071e-002, A8=-7.49311e-003, 
A10=7.15214e-003, A12=-1.40165e-003, A14=8.23359e-005
第15面
K=-3.82502e+001, A3=-2.04424e-001, A4=-1.33618e-001, 
A5=7.21841e-002, A6=2.96147e-002, A8=-4.86011e-003, 
A10=-4.75408e-004, A12=1.30382e-004, A14=-6.98084e-006
第16面
K=-4.35152e+000, A3=-1.43655e-001, A4=-7.65365e-002, 
A5=1.13460e-001, A6=-3.54246e-002, A8=1.30899e-003, 
A10=-1.53250e-004, A12=7.21323e-006, A14=8.72515e-007
【０１３０】
実施例１２の撮像レンズの特性を以下に列挙する。
FL        3.774
Fno       1.44
w        75.40
Ymax      2.921
BF        0.910
TL        5.100
BFa       0.873
TLa       5.063
【０１３１】
実施例１２の単レンズデータを以下の表３６に示す。
〔表３６〕
Elem   Surfs   Focal Length    Diameter
1     2- 3      6.4758        2.625
2     4- 5     10.0526        2.595
3     6- 7     -6.2855        2.239
4     9-10      7.1691        2.535
5    11-12    -15.8469        2.980
6    13-14      3.2628        3.916
7    15-16     -2.8032        5.118
【０１３２】
図２７は、実施例１２の撮像レンズ２２等の断面図である。撮像レンズ２２は、物体側より順に、光軸ＡＸ周辺で正の屈折力を有し物体側に凸面を向けた略凸平の第１レンズＬ１と、光軸ＡＸ周辺で正の屈折力を有し物体側に凸面を向けた略凸平の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で負の屈折力を有し物体側に凹面を向けた略凹平の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１レンズＬ１の外縁の物体側には、開口絞り（ＳＴＯ）ＡＳが配置され、第３及び第４レンズＬ３，Ｌ４の間には、遮光絞りＦＳが配置されている。
【０１３３】
図２８（Ａ）〜２８（Ｃ）は、実施例１２の撮像レンズ２２の諸収差図（球面収差、非点収差、歪曲収差）を示し、図２８（Ｄ）及び２８（Ｅ）は、実施例１２の撮像レンズ２２の横収差を示している。
【０１３４】
〔実施例１３〕
実施例１３のレンズ面のデータを以下の表３７に示す。
〔表３７〕
面番号    r           d        nd       vd     eff. dia.
1 FS  INFINITY      0.0000                     2.700
2*      3.0000      0.3006   1.54470   56      2.625
3*    -29.8652      0.0500                     2.517
4*     52.0943      0.7384   1.54470   56      2.537
5*     -7.7991      0.1000                     2.357
STO    INFINITY     -0.0500                     2.258
7*      1.7513      0.1500   1.63469   23.9    2.203
8*      1.1130      0.3881                     2.204
9 FS  INFINITY      0.0700                     2.220
10*      8.5883      0.5707   1.54470   56      2.478
11*     -5.9776      0.1525                     2.652
12*    -10.6927      0.3030   1.63469   23.9    2.807
13*     17.6055      0.3879                     3.158
14*      3.2081      0.5334   1.54470   56      3.536
15*     -3.1457      0.5565                     3.879
16*    -88.2601      0.3275   1.54470   56      4.705
17*      1.4022      0.3000                     5.313
18     INFINITY      0.1100   1.51633   64.1    5.646
19     INFINITY      0.3114
【０１３５】
実施例１３のレンズ面の非球面係数を以下の表３８に示す。
〔表３８〕
第2面
K=2.11148e+000, A4=-2.95136e-002, A6=3.41717e-004, 
A8=1.75787e-002, A10=-5.43560e-003, A12=2.86848e-003, 
A14=-1.08971e-003
第3面
K=0.00000e+000, A4=5.74093e-002, A6=1.42162e-002, 
A8=6.36900e-003, A10=3.22404e-003
第4面
K=0.00000e+000, A4=1.03021e-001, A6=-1.42099e-002, 
A8=7.97392e-003, A10=-2.03644e-003, A12=-1.30793e-003, 
A14=1.07559e-003
第5面
K=5.54924e+000, A4=1.36177e-001, A6=-1.73239e-001, 
A8=1.46216e-001, A10=-8.23902e-002, A12=2.76774e-002, 
A14=-4.86281e-003
第7面
K=-1.59241e+001, A4=-9.35509e-003, A6=-5.26647e-002, 
A8=3.17607e-002, A10=-1.46649e-002, A12=6.11984e-003, 
A14=-3.54185e-003
第8面
K=-6.33742e+000, A3=-1.03631e-004, A4=-2.05910e-002, 
A5=2.44461e-003, A6=5.53165e-002, A8=-1.41665e-001, 
A10=1.68385e-001, A12=-1.04094e-001, A14=2.61596e-002
第10面
K=3.16638e+001, A3=-2.05322e-002, A4=7.70636e-002, 
A5=-2.31548e-001, A6=2.25677e-001, A8=-1.68054e-001, 
A10=1.33867e-001, A12=-8.05820e-002, A14=2.16353e-002
第11面
K=-7.04758e+000, A3=2.11213e-002, A4=-1.65440e-001, 
A5=9.70462e-002, A6=-5.78489e-002, A8=2.33043e-002, 
A10=-9.33734e-003, A12=7.06252e-004
第12面
K=5.61667e+001, A3=7.53586e-002, A4=-4.84332e-001, 
A5=4.17171e-001, A6=-1.98178e-001, A8=1.00749e-001, 
A10=-2.87920e-002, A12=1.60783e-003
第13面
K=-5.95526e+001, A3=5.00362e-002, A4=-3.74655e-001, 
A5=1.89754e-001, A6=-1.88143e-003, A8=4.26196e-003, 
A10=9.01876e-004, A12=-1.34422e-003, A14=2.14891e-005
第14面
K=-3.79129e+000, A3=1.28434e-003, A4=1.60638e-002, 
A5=-1.04100e-001, A6=6.97150e-002, A8=-3.46793e-002, 
A10=1.38857e-002, A12=-2.90033e-003, A14=2.33414e-004
第15面
K=-1.78695e+000, A3=-6.95183e-003, A4=1.02116e-001, 
A5=-3.11562e-002, A6=-3.29689e-002, A8=-6.06059e-003, 
A10=7.19149e-003, A12=-1.27079e-003, A14=5.41600e-005
第16面
K=8.00000e+001, A3=-5.30569e-002, A4=-2.41895e-001, 
A5=8.00129e-002, A6=3.81682e-002, A8=-5.01910e-003, 
A10=-6.00123e-004, A12=1.46593e-004, A14=-7.72897e-006
第17面
K=-3.27599e+000, A3=-7.07506e-002, A4=-1.74522e-001, 
A5=1.43329e-001, A6=-3.06257e-002, A8=1.78898e-005, 
A10=-9.87526e-005, A12=2.07509e-005, A14=-7.30726e-007
【０１３６】
実施例１３の撮像レンズの特性を以下に列挙する。
FL        3.746
Fno       1.43
w        75.42
Ymax      2.921
BF        0.721
TL        5.300
BFa       0.684
TLa       5.263
【０１３７】
実施例１３の単レンズデータを以下の表３９に示す。
〔表３９〕
Elem   Surfs   Focal Length    Diameter
1     2- 3      5.0211        2.625
2     4- 5     12.5080        2.537
3     7- 8     -5.2952        2.204
4    10-11      6.5611        2.652
5    12-13    -10.4379        3.158
6    14-15      3.0049        3.879
7    16-17     -2.5307        5.313
【０１３８】
図２９は、実施例１３の撮像レンズ２３等の断面図である。撮像レンズ２３は、物体側より順に、光軸ＡＸ周辺で正の屈折力を有し物体側に凸面を向けた略凸平の第１レンズＬ１と、光軸ＡＸ周辺で正の屈折力を有し物体側にゆるい凸面を向けた略平凸の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で負の屈折力を有する両凹の第５レンズＬ５と、光軸ＡＸ周辺で正の屈折力を有する両凸の第６レンズＬ６と、光軸ＡＸ周辺で負の屈折力を有し像側に凹面を向けた略平凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【０１３９】
図３０（Ａ）〜３０（Ｃ）は、実施例１３の撮像レンズ２３の諸収差図（球面収差、非点収差、歪曲収差）を示し、図３０（Ｄ）及び３０（Ｅ）は、実施例１３の撮像レンズ２３の横収差を示している。
【０１４０】
〔実施例１４〕
実施例１４のレンズ面のデータを以下の表４０に示す。
〔表４０〕
面番号    r           d        nd       vd     eff. dia.
1 FS  INFINITY      0.0000                     2.700
2*      2.6382      0.3151   1.54470   56      2.625
3*     13.0451      0.0500                     2.560
4*      4.1532      0.6042   1.54470   56      2.565
5*    -24.1768      0.1000                     2.447
STO    INFINITY     -0.0500                     2.343
7*      1.7267      0.1554   1.64250   22.5    2.235
8*      1.1061      0.4257                     2.003
9 FS  INFINITY      0.1500                     2.080
10*     10.8150      0.4020   1.54470   56      2.299
11*    -17.4966      0.1725                     2.560
12*    -13.0397      0.2500   1.64250   22.5    2.833
13*    -24.3648      0.3079                     3.096
14*      7.5523      0.4919   1.54470   56      3.395
15*     -2.1375      0.2544                     3.795
16*      3.0841      0.3093   1.54470   56      4.618
17*      0.9108      0.7000                     5.004
18     INFINITY      0.1100   1.51633   64.1    5.757
19     INFINITY      0.1009
【０１４１】
実施例１４のレンズ面の非球面係数を以下の表４１に示す。
〔表４１〕
第2面
K=2.03116e+000, A4=-6.56064e-002, A6=-9.47667e-003, 
A8=1.29845e-002, A10=-7.34348e-003, A12=5.03976e-003, 
A14=-1.49643e-003
第3面
K=0.00000e+000, A4=1.62399e-002, A6=-2.17529e-002, 
A8=1.59065e-002, A10=2.76162e-004
第4面
K=0.00000e+000, A4=1.16481e-001, A6=-4.19262e-002, 
A8=1.62885e-002, A10=3.62132e-004, A12=-3.16641e-003, 
A14=1.15655e-003
第5面
K=8.00000e+001, A4=1.15928e-001, A6=-1.58272e-001, 
A8=1.18731e-001, A10=-6.70291e-002, A12=2.67578e-002, 
A14=-4.86297e-003
第7面
K=-1.36106e+001, A4=-3.54561e-002, A6=-4.45993e-002, 
A8=5.44551e-002, A10=-2.50577e-002, A12=1.13259e-002, 
A14=-3.54209e-003
第8面
K=-5.67795e+000, A3=6.93725e-003, A4=-2.87158e-002, 
A5=9.76236e-003, A6=7.14634e-002, A8=-1.22123e-001, 
A10=1.67693e-001, A12=-1.06336e-001, A14=2.79996e-002
第10面
K=2.01392e+001, A3=-2.21876e-002, A4=6.94020e-002, 
A5=-2.49838e-001, A6=2.42710e-001, A8=-1.73201e-001, 
A10=1.32080e-001, A12=-7.56022e-002, A14=1.88769e-002
第11面
K=-8.00000e+001, A3=3.74533e-002, A4=-1.82862e-001, 
A5=1.09505e-001, A6=-6.57678e-002, A8=2.57443e-002, 
A10=-1.46604e-002, A12=2.96350e-003
第12面
K=7.84932e+001, A3=1.18753e-001, A4=-4.75527e-001, 
A5=4.01828e-001, A6=-2.26950e-001, A8=1.02720e-001, 
A10=-1.77362e-002, A12=-2.10829e-003
第13面
K=-7.85381e+001, A3=9.13893e-002, A4=-3.34887e-001, 
A5=1.27675e-001, A6=-1.43744e-002, A8=2.16811e-002, 
A10=2.17996e-003, A12=-2.93847e-003, A14=1.39523e-005
第14面
K=1.75964e+001, A3=1.86480e-002, A4=2.60090e-002, 
A5=-1.07705e-001, A6=4.43507e-002, A8=-2.90545e-002, 
A10=1.63260e-002, A12=-4.67132e-003, A14=5.24325e-004
第15面
K=-8.96742e+000, A3=-1.02219e-001, A4=1.95108e-001, 
A5=-7.87731e-002, A6=-3.64803e-002, A8=1.32953e-003, 
A10=6.95241e-003, A12=-1.74240e-003, A14=1.25095e-004
第16面
K=-7.99995e+001, A3=-2.00086e-001, A4=-1.29172e-001, 
A5=7.80963e-002, A6=2.75812e-002, A8=-5.40552e-003, 
A10=-4.50625e-004, A12=1.45536e-004, A14=-8.37510e-006
第17面
K=-5.18659e+000, A3=-1.42142e-001, A4=-5.81749e-002, 
A5=1.01091e-001, A6=-3.31283e-002, A8=7.74213e-004, 
A10=-9.90054e-005, A12=1.39436e-005, A14=2.40490e-007
【０１４２】
実施例１４の撮像レンズの特性を以下に列挙する。
FL        3.786
Fno       1.44
w        74.37
Ymax      2.921
BF        0.911
TL        4.849
BFa       0.873
TLa       4.812
【０１４３】
実施例１４の単レンズデータを以下の表４２に示す。
〔表４２〕
Elem   Surfs   Focal Length    Diameter
1     2- 3      6.0072        2.625
2     4- 5      6.5563        2.565
3     7- 8     -5.3095        2.235
4    10-11     12.3321        2.560
5    12-13    -44.0432        3.096
6    14-15      3.1143        3.795
7    16-17     -2.4981        5.004
【０１４４】
図３１は、実施例１４の撮像レンズ２４等の断面図である。撮像レンズ２４は、物体側より順に、光軸ＡＸ周辺で正の屈折力を有し物体側に凸面を向けたメニスカスの第１レンズＬ１と、光軸ＡＸ周辺で正の屈折力を有し物体側に凸面を向けた略凸平の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で弱い負の屈折力を有し物体側に凹面を向けた略凹平の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【０１４５】
図３２（Ａ）〜３２（Ｃ）は、実施例１４の撮像レンズ２４の諸収差図（球面収差、非点収差、歪曲収差）を示し、図３２（Ｄ）及び３２（Ｅ）は、実施例１４の撮像レンズ２４の横収差を示している。
【０１４６】
〔実施例１５〕
実施例１５のレンズ面のデータを以下の表４３に示す。
〔表４３〕
面番号    r           d        nd       vd     eff. dia.
STO    INFINITY      0.0000                     2.625
2*     12.7631      0.2435   1.54470   56      2.625
3*     -5.4843      0.0500                     2.574
4*      9.0345      0.5529   1.54470   56      2.650
5*    -12.5803      0.0500                     2.597
6*      1.3123      0.1512   1.63469   23.9    2.362
7*      0.9809      0.4167                     2.281
8 FS  INFINITY      0.0500                     2.340
9*      7.7483      0.5607   1.54470   56      2.403
10*     -6.9181      0.1807                     2.621
11*    -12.6546      0.2029   1.63469   23.9    2.826
12*      7.7098      0.2989                     3.080
13*      3.2773      0.7704   1.54470   56      3.394
14*     -2.7895      0.3447                     3.860
15*      1.6964      0.3174   1.54470   56      4.780
16*      0.8038      0.7000                     5.268
17     INFINITY      0.1100   1.51633   64.1    5.753
18     INFINITY      0.1000
【０１４７】
実施例１５のレンズ面の非球面係数を以下の表４４に示す。
〔表４４〕
第2面
K=-8.00000e+001, A4=-7.48850e-002, A6=6.33439e-002, 
A8=6.15877e-003, A10=-1.76732e-002, A12=7.02102e-003, 
A14=-1.09000e-003
第3面
K=0.00000e+000, A4=4.85267e-002, A6=8.42381e-003, 
A8=1.31801e-002, A10=-4.45043e-003
第4面
K=0.00000e+000, A4=1.55158e-001, A6=-8.42838e-002, 
A8=2.37956e-002, A10=4.07474e-003, A12=-4.23186e-003, 
A14=7.28622e-004
第5面
K=3.67867e+001, A4=9.08050e-002, A6=-1.45772e-001, 
A8=1.28885e-001, A10=-7.77015e-002, A12=2.89308e-002, 
A14=-4.86280e-003
第6面
K=-6.97649e+000, A4=1.05634e-002, A6=-1.00130e-001, 
A8=5.43288e-002, A10=-1.85670e-002, A12=9.55016e-003, 
A14=-3.54185e-003
第7面
K=-3.94862e+000, A3=-2.59698e-003, A4=-2.62087e-002, 
A5=6.06741e-003, A6=5.23030e-002, A8=-1.57099e-001, 
A10=1.72952e-001, A12=-9.17431e-002, A14=1.92141e-002
第9面
K=3.66418e+001, A3=-1.45238e-002, A4=7.28277e-002, 
A5=-2.43294e-001, A6=2.47363e-001, A8=-1.77780e-001, 
A10=1.33870e-001, A12=-7.54842e-002, A14=1.58978e-002
第10面
K=-6.20010e+001, A3=5.12275e-002, A4=-1.72624e-001, 
A5=9.19663e-002, A6=-6.96915e-002, A8=2.91927e-002, 
A10=-1.07735e-002, A12=2.59681e-004
第11面
K=7.72015e+001, A3=1.13745e-001, A4=-4.78981e-001, 
A5=3.97688e-001, A6=-2.10616e-001, A8=1.05312e-001, 
A10=-2.45212e-002, A12=3.26595e-004
第12面
K=2.18339e+001, A3=5.27999e-002, A4=-3.67919e-001, 
A5=1.73977e-001, A6=-9.16990e-003, A8=1.33268e-002, 
A10=2.47047e-003, A12=-2.98596e-003, A14=1.55616e-004
第13面
K=2.33931e+000, A3=-2.71900e-002, A4=2.93736e-002, 
A5=-1.34640e-001, A6=8.36348e-002, A8=-3.59132e-002, 
A10=1.47597e-002, A12=-3.49934e-003, A14=3.03570e-004
第14面
K=-1.34903e+001, A3=-9.56336e-002, A4=8.04709e-002, 
A5=3.58988e-003, A6=-3.11515e-002, A8=-6.77177e-003, 
A10=7.14834e-003, A12=-1.42848e-003, A14=8.21393e-005
第15面
K=-1.35283e+001, A3=-2.18794e-001, A4=-1.36817e-001, 
A5=7.20456e-002, A6=3.00213e-002, A8=-4.72429e-003, 
A10=-4.67307e-004, A12=1.25999e-004, A14=-6.74112e-006
第16面
K=-4.17944e+000, A3=-1.21792e-001, A4=-8.51573e-002, 
A5=1.12526e-001, A6=-3.48332e-002, A8=1.48839e-003, 
A10=-1.36324e-004, A12=7.15732e-006, A14=3.36690e-007
【０１４８】
実施例１５の撮像レンズの特性を以下に列挙する。
FL        3.474
Fno       1.32
w        79.98
Ymax      2.921
BF        0.910
TL        5.100
BFa       0.873
TLa       5.063
【０１４９】
実施例１５の単レンズデータを以下の表４５に示す。
〔表４５〕
Elem   Surfs   Focal Length    Diameter
1     2- 3      7.0756        2.625
2     4- 5      9.7414        2.650
3     6- 7     -7.4386        2.362
4     9-10      6.8015        2.621
5    11-12     -7.5194        3.080
6    13-14      2.8962        3.860
7    15-16     -3.2066        5.268
【０１５０】
図３３は、実施例１５の撮像レンズ２５等の断面図である。撮像レンズ２５は、物体側より順に、光軸ＡＸ周辺で正の屈折力を有する両凸の第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で負の屈折力を有する両凹の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１レンズＬ１の外縁の物体側には、開口絞り（ＳＴＯ）ＡＳが配置され、第３及び第４レンズＬ３，Ｌ４の間には、遮光絞りＦＳが配置されている。
【０１５１】
図３４（Ａ）〜３４（Ｃ）は、実施例１５の撮像レンズ２５の諸収差図（球面収差、非点収差、歪曲収差）を示し、図３４Ｄ及び３４（Ｅ）は、実施例１５の撮像レンズ２５の横収差を示している。
【０１５２】
〔実施例１６〕
実施例１６のレンズ面のデータを以下の表４６に示す。
〔表４６〕
面番号    r           d        nd       vd     eff. dia.
1 FS  INFINITY      0.0000                     2.740
2*      1.8993      0.7256   1.54470   56      2.627
3*    -10.3468      0.1000                     2.485
STO     INFINITY    -0.0500                     2.412
5*      2.3319      0.1500   1.63469   23.9    2.290
6*      1.2505      0.4048                     2.059
7 FS  INFINITY      0.1500                     2.100
8*     15.3914      0.4247   1.54470   56      2.214
9*     25.1274      0.1331                     2.496
10*      2.5185      0.2088   1.63469   23.9    2.799
11*      2.3168      0.3339                     3.034
12*      9.5172      0.8615   1.54470   56      3.378
13*     -1.2930      0.2838                     3.826
14*     25.1583      0.3216   1.54470   56      4.991
15*      1.0816      0.5000                     5.288
16     INFINITY      0.1100   1.51633   64.1    5.601
17     INFINITY      0.3020
【０１５３】
実施例１６のレンズ面の非球面係数を以下の表４７に示す。
〔表４７〕
第2面
K=-2.39449e-002, A4=5.58481e-003, A6=2.06612e-003, 
A8=-3.07646e-003, A10=5.65811e-003, A12=-3.14644e-003, 
A14=8.16023e-004
第3面
K=-8.00000e+001, A4=1.05929e-001, A6=-1.20368e-001, 
A8=1.14068e-001, A10=-7.43080e-002, A12=2.86019e-002, 
A14=-4.86279e-003
第5面
K=-2.91189e+001, A4=3.95298e-002, A6=-4.85696e-002, 
A8=5.37086e-002, A10=-4.45093e-002, A12=1.91345e-002, 
A14=-3.54000e-003
第6面
K=-6.16593e+000, A3=-1.36116e-002, A4=2.41257e-002, 
A5=2.21024e-002, A6=6.61235e-002, A8=-1.47064e-001, 
A10=1.68672e-001, A12=-1.05597e-001, A14=2.90830e-002
第8面
K=4.90837e+001, A3=-2.20527e-002, A4=6.40051e-002, 
A5=-2.18089e-001, A6=1.96471e-001, A8=-1.69893e-001, 
A10=1.59744e-001, A12=-1.02202e-001, A14=2.22018e-002
第9面
K=8.00000e+001, A3=-5.97772e-002, A4=-1.15158e-001, 
A5=1.07951e-001, A6=-1.05467e-001, A8=3.87722e-002, 
A10=-1.03260e-002, A12=-2.82006e-003
第10面
K=-1.27547e+001, A3=-6.15540e-002, A4=-3.57831e-001, 
A5=3.62974e-001, A6=-2.66449e-001, A8=1.14702e-001, 
A10=-1.51594e-002, A12=-2.23672e-003
第11面
K=-7.28835e+000, A3=-4.88579e-002, A4=-2.61960e-001, 
A5=1.53657e-001, A6=-4.20626e-002, A8=6.17673e-003, 
A10=6.76305e-003, A12=-1.70706e-003, A14=-5.89432e-005
第12面
K=-8.00000e+001, A3=-3.96204e-002, A4=7.90492e-002, 
A5=-1.36173e-001, A6=8.32349e-002, A8=-3.73885e-002, 
A10=1.63306e-002, A12=-4.12975e-003, A14=4.64192e-004
第13面
K=-9.52678e+000, A3=-1.28867e-001, A4=-2.44286e-002, 
A5=8.56721e-002, A6=-1.81894e-002, A8=-1.49643e-002, 
A10=7.02380e-003, A12=-1.18173e-003, A14=5.59535e-005
第14面
K=8.00000e+001, A3=-1.20707e-001, A4=-8.63150e-002, 
A5=3.37030e-002, A6=2.20851e-002, A8=-2.50638e-003, 
A10=-3.30695e-004, A12=7.19533e-005, A14=-3.53817e-006
第15面
K=-7.05628e+000, A3=1.57420e-002, A4=-1.56593e-001, 
A5=1.11464e-001, A6=-2.93837e-002, A8=1.42233e-003, 
A10=-2.26203e-004, A12=3.07229e-005, A14=-1.35985e-006
【０１５４】
実施例１６の撮像レンズの特性を以下に列挙する。
FL        3.786
Fno       1.44
w        75.45
Ymax      2.921
BF        0.912
TL        4.960
BFa       0.875
TLa       4.922
【０１５５】
実施例１５の単レンズデータを以下の表４８に示す。
〔表４８〕
Elem   Surfs   Focal Length    Diameter
1     2- 3      3.0089        2.627
2     5- 6     -4.4904        2.290
3     8- 9     71.8223        2.496
4    10-11    -76.2331        3.034
5    12-13      2.1503        3.826
6    14-15     -2.0848        5.288
【０１５６】
図３５は、実施例１６の撮像レンズ２６等の断面図である。撮像レンズ２６は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で弱い正の屈折力を有し物体側に凸面を向けた略凸平の第３レンズＬ３と、光軸ＡＸ周辺で弱い負の屈折力を有し物体側に凸面を向けたメニスカスの第４レンズＬ４と、光軸ＡＸ周辺で正の屈折力を有する両凸の第５レンズＬ５と、光軸ＡＸ周辺で負の屈折力を有し像側に凹面を向けた略平凹の第６レンズＬ６とを備える。全てのレンズＬ１〜Ｌ６は、プラスチック材料から形成されている。第１及び第２レンズＬ１，Ｌ２の間には、開口絞り（ＳＴＯ）ＡＳが配置され、第１レンズＬ１の外縁の物体側と、第２及び第３レンズＬ２，Ｌ３の間とには、遮光絞りＦＳが配置されている。
【０１５７】
図３６（Ａ）〜３６（Ｃ）は、実施例１６の撮像レンズ２６の諸収差図（球面収差、非点収差、歪曲収差）を示し、図３６（Ｄ）及び３６（Ｅ）は、実施例１６の撮像レンズ２６の横収差を示している。
【０１５８】
以下の表４９は、参考のため、各条件式（１）、（３）〜（６）に対応する各実施例１〜１６の値をまとめたものである。
〔表４９〕
2015072405.tif 000004
【０１５９】
以上では、実施形態や実施例に即して本発明を説明したが、本発明は、上記実施形態等に限定されるものではない。例えば、開口絞りＡＳは、鏡筒部分５４ａに直接的に支持させることができるが、これに隣接する１つのレンズの外側に延びるフランジ部に固定することができ、あるいは隣接する一対のレンズの外側に延びるフランジ部に挟んで固定することができる。遮光絞りＦＳも、鏡筒部分５４ａに直接的に支持させることができるが、これに隣接する１つのレンズの外側に延びるフランジ部に固定することができ、あるいは隣接する一対のレンズの外側に延びるフランジ部に挟んで固定することができる。
【０１６０】
開口絞りＡＳや遮光絞りＦＳは、金属板に限らず、樹脂又はセラミックスの板状部材とすることができ、レンズのフランジ部を遮光性の材料で塗装することによっても組み込むことができる。さらに、開口絞りＡＳや遮光絞りＦＳは、完全な遮光体に限らず、口径外で減光を行うものであってもよい。遮光絞りＦＳを遮光板等とする場合、一対のレンズ間に複数の遮光板等を配置することもできる。
【０１６１】
１０，１１〜２６…撮像レンズ、  ５０…カメラモジュール、  ５１…撮像素子、  １００…撮像装置、  ３００…携帯通信端末、  ＡＸ…光軸、  Ｌ１−Ｌ７…レンズ、  ＡＳ，ＦＳ…絞り
【図１】
2015072405.tif 000005
【図２】
2015072405.tif 000006
【図３】
2015072405.tif 000007
【図４】
2015072405.tif 000008
【図５】
2015072405.tif 000009
【図６】
2015072405.tif 000010
【図７】
2015072405.tif 000011
【図８】
2015072405.tif 000012
【図９】
2015072405.tif 000013
【図１０】
2015072405.tif 000014
【図１１】
2015072405.tif 000015
【図１２】
2015072405.tif 000016
【図１３】
2015072405.tif 000017
【図１４】
2015072405.tif 000018
【図１５】
2015072405.tif 000019
【図１６】
2015072405.tif 000020
【図１７】
2015072405.tif 000021
【図１８】
2015072405.tif 000022
【図１９】
2015072405.tif 000023
【図２０】
2015072405.tif 000024
【図２１】
2015072405.tif 000025
【図２２】
2015072405.tif 000026
【図２３】
2015072405.tif 000027
【図２４】
2015072405.tif 000028
【図２５】
2015072405.tif 000029
【図２６】
2015072405.tif 000030
【図２７】
2015072405.tif 000031
【図２８】
2015072405.tif 000032
【図２９】
2015072405.tif 000033
【図３０】
2015072405.tif 000034
【図３１】
2015072405.tif 000035
【図３２】
2015072405.tif 000036
【図３３】
2015072405.tif 000037
【図３４】
2015072405.tif 000038
【図３５】
2015072405.tif 000039
【図３６】
2015072405.tif 000040